(57)【特許請求の範囲】
【請求項１】
光を照射する光源と、
前記光源から照射された光が側方向から入射される導光板と、
前記導光板の上面側の光源方向の端部に配置され、前記光源から照射された光の色相を変化させる変光色部と、
前記変光色部と接し、前記光源から照射された光を吸収する第１光吸収部であって、前記変光色部の前記光源方向の側面に配置される第１光吸収部と、を含むことを特徴とするディスプレイアセンブリ。
【請求項２】
前記導光板が一面に設置される量子ドット板をさらに含むことを特徴とする請求項１に記載のディスプレイアセンブリ。
【請求項３】
前記量子ドット板は、前記導光板が設けられた一面と反対にある他面に前記変光色部が配置されることを特徴とする請求項２に記載のディスプレイアセンブリ。
【請求項４】
前記量子ドット板及び前記変光色部は前記導光板の同一面に配置され、前記変光色部は前記量子ドット板の側面に配置されることを特徴とする請求項２に記載のディスプレイアセンブリ。
【請求項５】
ハウジングと、
該ハウジングから前記量子ドット板の方向に突出され、前記量子ドット板を前記ハウジングに固定させる第１固定部と、をさらに含むことを特徴とする請求項２に記載のディスプレイアセンブリ。
【請求項６】
前記第１固定部は、導光板方向の一面に前記変光色部が設けられることを特徴とする請求項５に記載のディスプレイアセンブリ。
【請求項７】
前記第１固定部及び前記変光色部は、前記量子ドット板の一面に接触するように設けられることを特徴とする請求項６に記載のディスプレイアセンブリ。
【請求項８】
前記変光色部は、前記導光板に接触し、前記第１固定部は前記量子ドット板に接触するように設けられることを特徴とする請求項６に記載のディスプレイアセンブリ。
【請求項９】
前記第１固定部は、一面に前記変光色部が設けられた配置溝を含むことを特徴とする請求項５に記載のディスプレイアセンブリ。
【請求項１０】
前記導光板と接触する一面と反対にある前記量子ドット板の他面の方向に配置される光学板をさらに含むことを特徴とする請求項２に記載のディスプレイアセンブリ。
【請求項１１】
前記量子ドット板が配置された方向と反対の方向に、前記光学板に配置されるディスプレイパネルをさらに含むことを特徴とする請求項１０に記載のディスプレイアセンブリ。
【請求項１２】
ハウジングと、
該ハウジングから前記ディスプレイパネルの方向に突出され、前記ディスプレイパネルに密着して前記ディスプレイパネルを前記ハウジングに固定させる第２固定部と、をさらに含むことを特徴とする請求項１１に記載のディスプレイアセンブリ。
【請求項１３】
ハウジングと、
ハウジングから導光板方向に突出され、前記変光色部が前記導光板と接触するように前記導光板方向の一面に前記変光色部が配置される、変光色部設置部と、をさらに含むことを特徴とする請求項１に記載のディスプレイアセンブリ。
【請求項１４】
前記変光色部は、前記変光色部の全部または一部が前記導光板の前記上面側の前記光源方向の端部に配置されることを特徴とする請求項１に記載のディスプレイアセンブリ。
【請求項１５】
前記変光色部が配置された一面と反対にある前記導光板の他面に配置され、前記入射された光を前記導光板の内部に反射させる反射板をさらに含むことを特徴とする請求項１に記載のディスプレイアセンブリ。
【請求項１６】
前記反射板は、前記光源の周辺にまで延長されて形成されることを特徴とする請求項１５に記載のディスプレイアセンブリ。
【請求項１７】
前記反射板の一端周辺に配置され、入射された光を吸収する第２光吸収部をさらに含むことを特徴とする請求項１５に記載のディスプレイアセンブリ。
【請求項１８】
前記第２光吸収部は、黒色物質を含むことを特徴とする請求項１７に記載のディスプレイアセンブリ。
【請求項１９】
前記光源から照射された光を前記導光板または前記変光色部の方向に反射させる補助反射部をさらに含むことを特徴とする請求項１に記載のディスプレイアセンブリ。
【請求項２０】
前記補助反射部は、白色物質を含むことを特徴とする請求項１９に記載のディスプレイアセンブリ。
【請求項２１】
前記光源は、青色系の光を照射することを特徴とする請求項１に記載のディスプレイアセンブリ。
【請求項２２】
前記変光色部は、黄色蛍光物質を含むことを特徴とする請求項２１に記載のディスプレイアセンブリ。
【請求項２３】
前記光源から照射された光が漏出を防止する漏光遮断部をさらに含むことを特徴とする請求項１に記載のディスプレイアセンブリ。
【請求項２４】
前記漏光遮断部は、量子ドット板及び前記導光板のうちの少なくとも１つと、前記量子ドット板の方向に突出され、前記量子ドット板を当該ディスプレイアセンブリのハウジングに固定させる第１固定部との間に設けられることを特徴とする請求項２３に記載のディスプレイアセンブリ。
【請求項２５】
前記漏光遮断部は、階段状の構造を介して量子ドット板及び導光板のうちの少なくとも１つと接触することを特徴とする請求項２４に記載のディスプレイアセンブリ。
【請求項２６】
前記漏光遮断部は、スポンジを含むことを特徴とする請求項２５に記載のディスプレイアセンブリ。
【請求項２７】
光を照射する光源と、
前記光源から照射された光が側方向から入射される導光板と、
前記導光板の上面側の光源方向の端部に配置され、前記光源から照射された光の色相を変化させる変光色部と、
前記変光色部と接し、前記光源から照射された光を吸収する第１光吸収部であって、前記変光色部の前記光源方向の側面に配置される第１光吸収部と、を含むことを特徴とするディスプレイ装置。
【発明の詳細な説明】
【技術分野】
【０００１】
本発明は、ディスプレイアセンブリ及びディスプレイアセンブリを用いるディスプレイ装置（Ａ  ｄｉｓｐｌａｙ  ａｓｓｅｍｂｌｙ  ａｎｄ  ａ  ｄｉｓｐｌａｙ  ａｐｐａｒａｔｕｓ  ｕｓｉｎｇ  ｔｈｅ  ｓａｍｅ）に関する。
【背景技術】
【０００２】
ディスプレイ装置は、電気的情報を視覚的情報に変えてユーザに表示する出力装置の一種であって、テレビ（ｔｅｌｅｖｉｓｉｏｎ）、コンピュータ装置に接続されたモニタ装置だけでなく、各種携帯端末機器、例えばスマートフォン（ｓｍａｒｔ  ｐｈｏｎｅ）、タブレットＰＣ（ｔａｂｌｅｔ  ＰＣ）なども含まれる。
【０００３】
このようなディスプレイ装置としては、陰極線管を用いるディスプレイ、発光ダイオード（Ｌｉｇｈｔ  Ｅｍｉｔｔｉｎｇ  Ｄｉｏｄｅ）を用いるディスプレイ、有機発光ダイオード（Ｏｒｇａｎｉｃ  Ｌｉｇｈｔ  Ｅｍｉｔｔｉｎｇ  Ｄｉｏｄｅ）を用いるディスプレイ、能動型有機発光ダイオード（Ａｃｔｉｖｅ−Ｍａｔｒｉｘ  Ｏｒｇａｎｉｃ  Ｌｉｇｈｔ  Ｅｍｉｔｔｉｎｇ  Ｄｉｏｄｅ）を用いるディスプレイ、液晶ディスプレイ（ＬＣＤ、Ｌｉｑｕｉｄ  Ｃｒｙｓｔａｌ  Ｄｉｓｐｌａｙ）または電子紙ディスプレイなど多様な種類が存在する。
【０００４】
液晶ディスプレイは、映像を光学的に表示する液晶ディスプレイパネルと、液晶ディスプレイパネルに光を提供するバックライトユニット（Ｂａｃｋ  Ｌｉｇｈｔ  Ｕｎｉｔ、ＢＬＵ）を含み、バックライトユニットから提供される光に応じて所定の画面をユーザに表示することができる。
【発明の概要】
【発明が解決しようとする課題】
【０００５】
本発明は、色相を意図したように、均一に表示することができるディスプレイアセンブリ及びディスプレイアセンブリを用いるディスプレイ装置を提供することを目的とする。
【課題を解決するための手段】
【０００６】
上記課題を解決するために、本発明のある観点によれば、ディスプレイアセンブリ及びディスプレイアセンブリを用いるディスプレイ装置が提供される。
【０００７】
ディスプレイアセンブリは、光を照射する光源、該光源から照射された光が側方向から入射される導光板、及び該導光板の一面の境界周辺に配置され、前記光源から照射された光の色相を変化させる変光色部を含む。
【０００８】
ディスプレイアセンブリは、前記変光色部と接し、前記光源から照射された光を吸収する第１光吸収部をさらに含む。
【０００９】
前記第１光吸収部は、前記変光色部の前記光源方向の側面に配置される。
【００１０】
前記第１光吸収部は、光が入射される前記変光色部の入射面の反対面に配置される。
【００１１】
前記導光板が一面に設置される量子ドット板（ｑｕａｎｔｕｍ  ｄｏｔ  ｓｈｅｅｔ）をさらに含む。
【００１２】
前記量子ドット板は、前記導光板が設けられた一面に対応する他面に前記変光色部が配置される。
【００１３】
前記量子ドット板及び前記変光色部は、前記導光板の同一面に配置され、前記変光色部は前記量子ドット板の側面に配置される。
【００１４】
ディスプレイアセンブリは、ハウジング及び該ハウジングから前記量子ドット板方向に突出され、前記量子ドット板を前記ハウジングに固定させる第１固定部をさらに含む。
【００１５】
前記第１固定部は、導光板方向の一面に前記変光色部が設置される。
【００１６】
前記第１固定部及び前記変光色部は、前記量子ドット板の一面に接触するように設置される。
【００１７】
前記変光色部は前記導光板に接触し、前記第１固定部は前記量子ドット板に接触するように設置される。
【００１８】
前記第１固定部は、一面に前記変光色部が設けられた配置溝を含む。
【００１９】
ディスプレイアセンブリは、前記導光板と接触する一面に対応する前記量子ドット板の他面方向に配置される光学板をさらに含む。
【００２０】
ディスプレイアセンブリは、前記量子ドット板が配置される方向の反対方向で前記光学板に配置されるディスプレイパネルをさらに含む。
【００２１】
ディスプレイアセンブリは、ハウジング、及び該ハウジングから前記ディスプレイパネル方向に突出され、前記ディスプレイパネルに密着して前記ディスプレイパネルを前記ハウジングに固定させる第２固定部をさらに含む。
【００２２】
ディスプレイアセンブリは、ハウジング、及びハウジングから前記導光板方向に突出され、前記導光板方向の一面には前記変光色部が配置され、前記変光色部は導光板と接触する変光色部設置部をさらに含む。
【００２３】
前記変光色部は、前記変光色部の全部または一部が前記導光板の一面の境界周辺に配置される。
【００２４】
前記変光色部が配置された一面に対応する前記導光板の他面に配置され、前記入射された光を前記導光板内部に反射させる反射板をさらに含む。
【００２５】
前記反射板は、前記光源の周辺にまで延長されて形成される。
【００２６】
ディスプレイアセンブリは、前記反射板の一端周辺に配置され、入射された光を吸収する吸収部をさらに含む。
【００２７】
前記吸収部は黒色物質を含む。
【００２８】
ディスプレイアセンブリは、前記光源から照射された光を前記導光板または前記変光色部方向に反射させる補助反射部をさらに含む。
【００２９】
前記補助反射部は白色物質を含む。
【００３０】
前記光源は青色系の光を照射する。
【００３１】
前記変光色部は黄色蛍光物質を含む。
【００３２】
ディスプレイアセンブリは、前記光源から照射された光の漏出を防止する漏光遮断部をさらに含む。
【００３３】
前記漏光遮断部は、量子ドット板及び導光板のうちの少なくとも１つと、量子ドット板方向に突出され、前記量子ドット板を前記ハウジングに固定させる第１固定部との間に設けられる。
【００３４】
前記漏光遮断部は、階段状の構造を介して量子ドット板及び導光板のうちの少なくとも１つと接触することができる。
【００３５】
前記漏光遮断部はスポンジを含む。
【００３６】
ディスプレイ装置は、光を照射する光源、該光源から照射された光が側方向から入射される導光板及び前記導光板の一面の境界周辺に配置され、前記光源から照射された光の色相を変化させる変光色部を含む。
【発明の効果】
【００３７】
上述のディスプレイアセンブリ及びディスプレイアセンブリを用いるディスプレイ装置によれば、ディスプレイ画面の色相の均一性が改善される効果が得られる。
【００３８】
上述のディスプレイアセンブリ及びディスプレイアセンブリを用いるディスプレイ装置によれば、ディスプレイ画面に光源が配置された境界付近の色相を意図のように表現することができる効果が得られる。
【００３９】
上述のディスプレイアセンブリ及びディスプレイアセンブリを用いるディスプレイ装置によれば、ディスプレイ画面で光源が配置された境界付近の色相が意図の色相と相違するように表現されることを防止することができ、例えば境界付近の色相が青色化されることを防止することができる。
【図面の簡単な説明】
【００４０】
【図１】ディスプレイアセンブリの一実施形態を概略的に示す図である。
【図２】ディスプレイ装置の一実施形態の分解斜視図である。
【図３】ディスプレイ装置の第１実施形態の側断面図である。
【図４】ディスプレイ装置の一実施形態を概略的に示す図である。
【図５】ディスプレイ装置の第１実施形態の場合に照射された光が進行する一例を示す図である。
【図６】変光色部による光の色相の変化を説明するための図である。
【図７】ディスプレイ装置の第２実施形態の側断面図である。
【図８】ディスプレイ装置の第３実施形態の側断面図である。
【図９】ディスプレイ装置の第４実施形態の側断面図である。
【図１０】ディスプレイ装置の第５実施形態の側断面図である。
【図１１】ディスプレイ装置の第６実施形態の側断面図である。
【図１２】ディスプレイ装置の第７実施形態の側断面図である。
【図１３】ディスプレイ装置の第８実施形態の側断面図である。
【図１４】ディスプレイ装置の第９実施形態の側断面図である。
【図１５】ディスプレイ装置の第１０実施形態の分解斜視図である。
【図１６】ディスプレイ装置の第１０実施形態の側断面図である。
【図１７】ディスプレイ装置の第１０実施形態を説明するための図である。
【図１８】ディスプレイ装置の第１０実施形態を説明するための図である。
【図１９】ディスプレイ装置の第１１実施形態の側断面図である。
【発明を実施するための形態】
【００４１】
以下に、図１ないし図１９を参照しながらディスプレイアセンブリの多様な実施形態について説明する。
【００４２】
図１は、ディスプレイアセンブリの一実施形態を概略的に示す図である。
【００４３】
図１を参照すると、ディスプレイアセンブリ１は、光１１を照射する光源１０、光源１０から照射された光のうちの一部の光１２の色相を変化させる変光色部２０、及び光源から照射された光が少なくとも１つの面に入射される導光板３０を含む。
【００４４】
光源１０は、白色または所定色の光を外部に放出することができる。光源１０としては、光を発散する多様な照明手段が用いられる。例えば光源１０としては、冷陰極蛍光ランプ（ＣＣＦＬ、Ｃｏｌｄ  Ｃａｔｈｏｄｅ  Ｆｌｏｕｒｓｃｅｎｔ  Ｌａｍｐ）または発光ダイオード（ＬＥＤ、Ｌｉｇｈｔ  Ｅｍｉｔｔｉｎｇ  Ｄｉｏｄｅ）などが用いられる。その他にも、通常の技術者が考慮することができる多様な照明手段が光源１０として用いられる。
【００４５】
光源１０から照射された光は変光色部２０または導光板３０に伝達することができる。
【００４６】
光源１０から照射された光の全部または一部は、導光板３０に伝達された後、導光板３０の内部３２に進入される。一実施形態によれば、光源１０から照射された光は導光板３０の側面３１を介して導光板３０の内部３２に進入される。導光板内部３２に進入された光は導光板内部３２で１回以上繰り返し反射または再反射されながら光源１０の反対方向に進行される。導光板内部３２から反射される光の全部または一部は、導光板３０の上面３３から外部に、ある程度均一に出射ａ、ｂされることができる。
【００４７】
光源１０から照射された光の全部または一部は変光色部２０に伝達することができる。以下において、変光色部２０に伝達される光を入射光１２とし、入射光１２に相応して変光色部２０から出射される光を出射光１２ａとする。変光色部２０は光源１０から発散されて入射される入射光１２を受け、入射光１２に相応する出射光１２ａを放出する。変光色部２０は光源１０から発散されて入射される入射光１２で反応して入射光１２に対応する出射光１２ａを放出する。出射光１２ａは導光板内部３２に入射される。もちろん変光色部２０から放出された出射光１２ａのうち一部は導光板内部３２に入射されないこともある。
【００４８】
変光色部２０から出射される光ａは入射光１２と異なった色相の光とすることができる。言い換えれば、変光色部２０は入射光１２の色相を変化させて出射することができる。例えば変光色部２０は入射光１２が青色系の光である場合、黄色系の出射光ａ１を放出することができる。よって、変光色部２０により出射された後に導光板内部に入射される光１２ａは、光源１０からそのまま導光板３０の側面３１に入射される光１１と互いに異なる色を有することができる。
【００４９】
また、導光板内部３２から出射される光ａ、ｂも入射される光１１、１２ａによって互いに異なる色を有することができる。その場合、導光板内部３２において光源１０に近接する地点から出射される光ａは変光色部２０によって色が変化された光であり、光源１０から遠い地点から出射される光ｂは光源１０から照射される光と同じ色の光とすることができる。例えば光源１０が青色系の光を照射し、変光色部２０は青色系の光を黄色系の光に変化させて出射する場合、光源１０に近接する地点から出射される光ａは黄色系の光であり、光源１０から遠い地点から出射される光ｂは青色系の光とすることができる。
【００５０】
一実施形態によれば、導光板３０の一面には１つまたは２つ以上のパネルが設置される。１つまたは２つ以上のパネルは、導光板３０から光ａ、ｂが出射される上面３３に設置される。１つまたは２つ以上のパネルは、導光板３０から出射される光ａ、ｂに応じて特定色相の光を外部に出力させる。１つまたは２つ以上のパネルは、光学板（Ｏｐｔｉｃａｌ  ｓｈｅｅｔ）または量子ドット板（ｑｕａｎｔｕｍ  ｄｏｔ  ｓｈｅｅｔ）などを含む。
【００５１】
以下に、上述の光源１０、変光色部２０及び導光板３０を含むディスプレイアセンブリ１が適用されたディスプレイ装置１００の一実施形態について説明する。
【００５２】
図２は、ディスプレイ装置の一実施形態の分解斜視図である。
【００５３】
図２を参照すると、ディスプレイ装置１００は、上部ハウジング１０１、ディスプレイパネル１１０、光学板１２０、中間ハウジング１３０、量子ドット板１４０、変光色部１５０、導光板１６０、反射板１７０、印刷回路基板１８１及び下部ハウジング１９１を含む。実施形態によってそのうちの一部が省略される。
【００５４】
上部ハウジング１０１は、ディスプレイパネル１１０の上部に配置されてディスプレイ装置１００前面の外形を形成する。上部ハウジング１０１は、ディスプレイ装置１００の各種部品がディスプレイ装置１００に内蔵されるようにすることができる。同時に、上部ハウジング１０１は、ディスプレイパネル１１０を安定的に固定させながらディスプレイパネル１１０の各種部品を外部からの直接的な衝撃から保護することができる。
【００５５】
上部ハウジング１０１は、ベゼルを形成する第２固定部１０３と、第２固定部１０３の端部から下部ハウジング１９１方向に延びる上部ハウジング側面部１０２を含む。上部ハウジング１０１の前面にはディスプレイパネル１１０に画面が表示される部分である表示領域が外部に露出されるように開口１０４が形成される。
【００５６】
第２固定部１０３は、開口１０４方向に突出されてディスプレイパネル１１０の外部離脱を防止する。言い換えれば上部ハウジング１０１とディスプレイパネル１１０とが結合された場合、第２固定部１０３はディスプレイパネル１１０の方向に突出される。
【００５７】
上部ハウジング側面部１０２は、ディスプレイパネル１１０などの各種部品をディスプレイ装置１００内側に固定させることができ、同時に側面方向に伝達することができる衝撃から各種部品を保護することができる。
【００５８】
開口１０４は、ディスプレイパネル１１０において映像表示可能な一面が外部に露出されることで、ユーザの映像視聴を可能とする。
【００５９】
ディスプレイパネル１１０は光学板１２０を通過して供給される光を受光し、受光した光で映像を表示する。ディスプレイパネル１１０の一面は開口１０４により外部に露出される。
【００６０】
ディスプレイパネル１１０は、液晶ディスプレイパネル（ＬＣＤｐａｎｅｌ、Ｌｉｑｕｉｄ  Ｃｒｙｓｔａｌ  Ｄｉｓｐｌａｙ）を含む。液晶ディスプレイパネルは、パネル内に内蔵され、それぞれ他のパターンによって光を屈折させる液晶層の配列を調節してユーザに多様な映像を生成して表示することができる。
【００６１】
一実施形態によれば、ディスプレイパネル１１０は薄膜トランジスタが配置される薄膜トランジスタ基板１１１と薄膜トランジスタ基板１１１との間に液晶層が設けられる色相表示基板１１２をさらに含むことができる。
【００６２】
薄膜トランジスタ基板１１１及び色相表示基板１１２は互いに所定の距離に離隔される。色相表示基板１１２にはカラーフィルタと黒色マットレスが設けられる。薄膜トランジスタ基板１１１には、薄膜トランジスタ基板１１１に駆動信号を印加するための駆動部１１３が設置される。駆動部１１３は、第１基板１１４、第１基板１１４と接続される駆動チップ１１５及び駆動チップ１１５が設置される第２基板１１６を含む。第２印刷回路基板１１６は、実施形態によって軟性印刷回路基板（ＦＰＣＢ、Ｆｌｅｘｉｂｌｅ  Ｐｒｉｎｔｅｄ  Ｃｉｒｃｕｉｔ  Ｂｏａｒｄ）とすることができる。
【００６３】
上述の液晶ディスプレイパネルの他にも通常の技術者が考慮することができる多様なパネルがディスプレイパネル１１０の一例とすることができる。
【００６４】
必要に応じてディスプレイパネル１１０には、タッチ操作を検知するためのポリエステルフィルムやガラスなどを含むタッチパネルがさらに設置されるか、またはディスプレイパネル１１０を介して外部に放出される光を偏光させる偏光板がさらに設置され得る。タッチパネルや偏光板は、ディスプレイパネル１１０の一面に設けられ、そこで、一面は開口１０４を介して外部に露出される面とすることができる。
【００６５】
光学板１２０はディスプレイパネル１１０の外部に露出される一面の反対側に位置する他面に設置される。光学板１２０は保護フィルム１２１及びプリズムフィルム１２２を含む。プリズムフィルム１２２は量子ドット板１４０から拡散した光を屈折させてディスプレイパネル１１０に垂直方向に入射させることができる。プリズムフィルム１２２の一面にはプリズムが所定パターンに配列され得る。保護フィルム１２１は光学板１２０でディスプレイパネル１１０方向に位置し、プリズムフィルム１２２を外部の刺激や異物から保護する。保護フィルム１２１及びプリズムフィルム１２２のうち少なくとも１つは実施形態によって省略される。
【００６６】
中間ハウジング１３０は、内側方向に突出された第１固定部１３１が用いられ、第１固定部１３１内側には量子ドット板１４０から出射された光が通過する開口１３０ａが設けられる。第１固定部１３１の上端には光学板１２０が載置され、光学板１２０の一部は第１固定部１３１により量子ドット板１４０と遮断され、他の一部は開口１３０ａを介して量子ドット板１４０方向に露出される。
【００６７】
一実施形態によれば、中間ハウジング１３０は、その構造により量子ドット板１４０と接するか、近接するように配置される量子ドット板１４０を固定させることができる。
【００６８】
他の一実施形態によれば、その構造により中間ハウジング１３０は導光板１６０と接するか、近接するように配置されて導光板１６０を固定させることができる。
【００６９】
さらに他の実施形態によれば、中間ハウジング１３０は、その構造により量子ドット板１４０及び導光板１６０量子をすべて固定させることができる。
【００７０】
中間ハウジング１３０の下部には、変光色部１５０が設けられてもよい。変光色部１５０は中間ハウジング１３０の第１固定部１３１の一面に設けられてもよく、中間ハウジング１３０に別に設けられた変光色部設置部（図示せず）に設けられてもよい。
【００７１】
量子ドット板１４０は、導光板１６０から出射された光を光学板１２０に伝達することができる。量子ドット板１４０は光学板１２０に基づいてディスプレイパネル１１０が配置された方向の反対方向に配置され得る。量子ドット板１４０と光学板１２０との間には所定大きさの間隙が形成され、量子ドット板１４０から出射された光は量子ドット板１４０と光学板１２０との間の間隙で１回以上反射及び再反射される。
【００７２】
量子ドット板１４０は、選択的に導光板１６０から出射された光の波長を変化させることで、出射される光の色を変化させることができる。量子ドット板１４０には、所定波長の光を他の波長の光に変化させる量子ドット（ｑｕａｎｔｕｍ  ｄｏｔ）が分散され得る。量子ドットは所定色の光を他の色の光に変化させることができる。もしも光源１８０が青色系の光を照射する場合、量子ドットは青色系の光を緑色系の光または赤色系の光に変化させることができる。
【００７３】
光が量子ドット板１４０と光学板１２０との間の間隙で反射及び再反射されるたびに、光は量子ドットによって色が変化され得る。具体的に反射及び再反射の繰り返されるたびに光は青色から緑色に、緑色から赤色に色が変化され得る。量子ドット板１４０は、選択的に導光板１６０から出射された光の波長を変化させることで、出射される光の色を変化させることができる。色が変化された光は、光学板１２０方向に出射される。
【００７４】
変光色部１５０は、光源１８０から発散されて入射される入射光の色相と異なった色相の出射光を放出することができる。変光色部１５０は、入射光が反射するか、または透過する間に入射光の色相を変化させて出射させることができる。
【００７５】
変光色部１５０は、入射光の波長の帯域を変化させて入射光と異なった色相の出射光を放出することができる。変光色部１５０は入射光の刺激に応じて反応して発光することで、入射光と異なった色相の出射光を生成することができる。一実施形態によれば、変光色部１５０は、入射光の波長よりさらに長い波長の出射光を外部に放出することができる。例えば変光色部１５０は青色系の短波長の入射光を黄色系の長波長の出射光に変化させることができる。
【００７６】
上述のように、変光色部１５０によって異なる色の光が出射され得るので、導光板１６０には互いに異なる色の多様な光が入射される。具体的に、変光色部１５０から出射されて導光板１６０に入射される光の色は、光源１８０からすぐ導光板１６０の側面１６１に入射される光の色と互いに相違することができる。例えば変光色部１５０から出射された後に導光板１６０に入射される光の色は黄色系であり、光源１８０からすぐ導光板１６０の側面１６１に入射される光の色は青色系とすることができる。
【００７７】
変光色部１５０から出射された光は導光板１６０及び量子ドット板１４０のうち少なくとも１つに入射される。変光色部１５０から出射された光は直接導光板１６０または量子ドット板１4０に入射されることができ、反射板１７０などのように他の媒体を経由して間接的に導光板１６０または量子ドット板１4０に入射される。変光色部１５０の位置や変光色部１５０が配置された位置の形状に沿って変光色部１５０から出射された光は主に導光板１６０に入射される。
【００７８】
変光色部１５０は蛍光物質を含む。例えば光源１８０が青色系の光を照射する場合、変光色部１５０は黄色蛍光物質を含む。変光色部１５０は中間ハウジング１３０に塗布可能な蛍光物質、または蛍光物質で染色されたストリップである蛍光ストリップ（Ｐｈｏｓｐｈｏｒ  ｓｔｒｉｐ）を含む。蛍光物質は黄色相の蛍光物質とすることができる。蛍光物質は転移金属化合物や稀土類化合物に実現されたものとすることができる。蛍光物質としては、石油、鉛ガラス、シアン化白金、硫化亜鉛系の蛍光体（ＺｎＳ、ＺｎＳ：Ｍｎ、ＺｎＳ：Ｃｕなど）が用いられる。
【００７９】
一実施形態によれば、変光色部１５０の側面には、第１光吸収部１５１がさらに設けられる。第１光吸収部１５１は光源１８０から出射される光の一部を吸収することができる。
【００８０】
さらに実施形態によって変光色部１５０の側面には、補助反射部（図１１の１８２）がさらに設けられる。補助反射部１８２は変光色部１５０と所定の距離を置いて離隔されて配置される。
【００８１】
導光板１６０は量子ドット板１４０に基づいて光学板１２０が配置された方向の反対方向に配置される。導光板１６０は光源１８０から発散される光を内部で１回以上反射させ、光源１８０から発散された光が量子ドット板１４０に均一に供給されるようにすることができる。導光板１６０は光源１８０から発散された光が入射されるように側面に形成された入射面１６１と、量子ドット板１４０に対応する出射面１６２と、出射面１６２に対面して設けられる反射面１６３を含む。導光板１６０の入射面１６１には変光色部１５０から出射された光が入射される。光源１８０から発散された光または変光色部１５０から出射された光は導光板１６０の出射面１６２を介して入射される。
【００８２】
一実施形態によれば、導光板１６０は、ポリメチルメタアクリレート（ＰＭＭＡ、Ｐｏｌｙ  Ｍｅｔｈｙｌ  Ｍｅｔｈａｃｒｙｌａｔｅ）またはポリメチルスチレン（Ｐｏｌｙ  Ｍｅｔｈｙｌｓｔｒｅｎｅ）などのような合成樹脂に製作したものとすることができる。その他にも導光板１６０は、通常の技術者が考慮することができる多様な素材で製作したものとすることができる。
【００８３】
導光板１６０の反射面１６３には反射板１７０がさらに付着され得る。反射板１７０は、導光板１６０の反射面１６３を介して出射される光を導光板１６０内部で反射させることができる。反射板１７０は導光板１６０の境界よりもさらに延長されて設けられる。実施形態によって反射板１７０は光源１８０の周辺にまで延長されて導光板１６０から突出されて形成される。
【００８４】
反射板１７０は、ポリエチレンテレフタレート（ＰＥＴ、Ｐｏｌｙｅｔｈｙｌｅｎｅ  Ｔｅｒｅｐｈｔｈａｌａｔｅ）またはポリカーボネート（ＰＣ、Ｐｏｌｙｃａｒｂｏｎａｔｅ）などのような合成樹脂を用いて製作したものとすることができる。その他にも反射板１７０は、通常の技術者が考慮することができる多様な素材で製作され得る。
【００８５】
一実施形態によれば、反射板１７０の側面には、第２光吸収部１８３がさらに設けられる。第２光吸収部１８３は光源１８０から出射されるか、変光色部１５０から反射するか、または中間ハウジング１３０で実現された空間内で反射された光を吸収することができる。
【００８６】
さらに他の一実施形態によれば、反射板１７０の側面には、入射された光を反射させる補助反射部１８４がさらに設けられる。
【００８７】
実施形態によって反射板１７０の側面には第２光吸収部１８３及び補助反射部１８４が両方とも設けられる。
【００８８】
反射板１７０で導光板１６０が付着された面の反対面には基板１８１及びスペーサ１９０が設置される。
【００８９】
スペーサ１９０は基板１８１と反射板１７０との間に設置される。スペーサ１９０は、基板１８１の一面に設けられて、一方向に突出される各種部品が直接的に反射板１７０に接触されて各種部品や反射板１７０などが毀損されることが防止される。スペーサ１９０は反射板１７０の形状に対応して平面板の形状を有することができる。スペーサ１９０はシリコンなどで製作された板とすることができる。その他にもスペーサ１９０は通常の技術者が考慮することができる多様な素材に製作され得る。スペーサ１９０は必要に応じて省略することができる。
【００９０】
基板１８１は、基板１８１に設置された光源１８０に電気的信号を印加して光源１８０が所定の光を照射するようにすることができる。基板１８１には、光源１８０の光の照射を制御するための各種部品が設置される。各種部品はプロセッサまたは保存装置を実現するための１つまたは２つ以上の半導体チップを含む。基板１８１には光源１８０だけでなく、ディスプレイパネル１１０などのような各種部品を制御するためのプロセッサなどが設置される。
【００９１】
光源１８０は基板１８１に設置される。一実施形態によれば、光源１８０、１８０ａは基板１８１の一端または両末端に設置されて所定色の光を導光板１６０方向に照射する。基板１８１の一端または両末端には、複数の光源１８０、１８０ａが設置される。基板１８１の両末端に複数の光源１８０、１８０ａが設置される場合、一末端の複数の光源１８０は他の末端の複数の光源１８０、１８０ａと対面するように基板１８１の一末端に設置される。必要に応じて光源１８０は、基板１８１に直接設置され得る。実施形態によって光源１８０は、基板１８１上に設けられた載置台の上端に設置される。
【００９２】
光源１８０、１８０ａは所定色の光を多様な方向に照射する。光源１８０、１８０ａから照射される光の色は青色を含む。多様な方向から照射された光は補助反射部１８２などで反射されて導光板１６０に入射される。また照射された光は変光色部１５０に到達することができる。上述のように、変光色部１５０は照射された光に対応する光を出射することができる。光源１８０は冷陰極蛍光ランプや発光ダイオードなどを含む。
【００９３】
光源１８０、１８０ａとしては、蛍光ランプまたは発光ダイオードなどの照明手段が用いられる。その他にも通常の技術者が考慮することができる多様な照明手段が光源１８０、１８０ａとして採用され得る。
【００９４】
下部ハウジング１９１は、上部ハウジング１０１及び中間ハウジング１３０のうち少なくとも１つと接続されてディスプレイ装置１００の外形を形成することができる。上部ハウジング１０１及び下部ハウジング１９１により形成された内部には、上述のディスプレイパネル１１０、光学板１２０、中間ハウジング１３０、量子ドット板１４０、変光色部１５０、導光板１６０、反射板１７０または印刷回路基板１８１などが内蔵される。下部ハウジング１９１の内側には、光源１８０が配置された印刷回路基板１８１が固定されて設置される。
【００９５】
上述の上部ハウジング１０１、中間ハウジング１３０及び下部ハウジング１９１のうち少なくとも２つは一体型に設けられてもよい。例えば中間ハウジング１３０は下部ハウジング１９１の一部とすることができ、上部ハウジング１０１の一部とすることができる。
【００９６】
以下に、ディスプレイ装置の第１実施形態について説明する。
【００９７】
図３はディスプレイ装置の第１実施形態の側断面図である。
【００９８】
図３に示すディスプレイ装置の第１実施形態によれば、ディスプレイ装置１００ａは、上面が外部に露出されるディスプレイパネル１１０、ディスプレイパネル１１０の底面方向に設置される光学板１２０、光学板１２０の底面方向に設置される量子ドット板１４０、量子ドット板１４０の底面方向に設置される導光板１６０、導光板１６０の反射面１６３に付着される反射板１７０、反射板１７０の底面方向に位置可能な基板１８１、反射板１７０と基板１８１とを互いに隔離させるスペーサ１９０、基板１８１に設置される光源１８０、量子ドット板１４０に接触して量子ドット板１４０を固定させる第１固定部１３１、中間ハウジング１３０、第１固定部１３１の下部に設けられた変光色部１５０、及びディスプレイパネル１１０を固定させてディスプレイパネル１１０の離脱を防止する上部ハウジング１０１を含む。そのうちの一部は実施形態によって省略することができる。
【００９９】
ディスプレイパネル１１０は、薄板トランジスタ基板１１１及び色相表示基板１１２を含む液晶ディスプレイパネルとすることができる。その他にも多様な種類のディスプレイパネルが上述のディスプレイパネル１１０の一例とすることができる。
【０１００】
光学板１２０は複数のフィルムを含むことができ、量子ドット板１４０から出射された光がディスプレイパネル１１０に伝達される。光学板１２０と量子ドット板１４０との間には間隙や空隙が形成される。
【０１０１】
量子ドット板１４０は、導光板１６０から出射された光を受光すると導光板１６０から出射された光の波長を変化させることで、出射される光の色を選択的に変化させることができる。量子ドット板１４０の内部には量子ドットが分散され得て、量子ドットによって光の色を変化させることができる。
【０１０２】
導光板１６０は、光源１８０方向に入射面１６１を設け、導光板１６０の入射面１６１に、光源１８０から発散された光または変光色部１５０から出射された光が入射される。光源１８０から発散された光または変光色部１５０から出射された光は導光板１６０の出射面１６２を介して導光板１６０の内部に入射される。入射光は導光板１６０の内部で少なくとも１回反射しながら所定方向に進行される。導光板１６０の内部で所定方向に進行した入射光は、出射面１６２を介して量子ドット板１４０方向に出射される。このような方法を介して導光板１６０は、光源１８０から発散されるか、変光色部１５０から出射された光が導光板１６０の出射面１６２方向に設置された量子ドット板１４０に均一に供給されるようにすることができる。導光板１６０は、ポリメチルメタアクリレートやポリメチルスチレンなどのような合成樹脂に製作され得る。
【０１０３】
反射板１７０は導光板１６０の反射面１６３に配置される。反射面１６３は導光板１６０の出射面１６２の反対側に位置される。反射板１７０は反射面１６３に到達した光を導光板１６０内部で再反射することができる。図３に示すように、反射板１７０は光源１８０周辺にまで延長されて設置され得る。よって、反射板１７０は光源１８０から出射された光のうちの一部を導光板１６０の入射面１６１方向に反射させて入射面１６１に入射するようにすることができる。反射板１７０は、ポリエチレンテレフタレートまたはポリカーボネートなどに製作され得る。
【０１０４】
光源１８０は所定色の光を発散することができる。光源１８０から発散される光は、例えば赤色光または青色光とすることができる。光源１８０は必要に応じて多様な色の光を変更しながら発散することができる。光源１８０から発散される光の一部は、直接導光板１６０の入射面１６１に到達するか、補助反射部１８２により反射された後に導光板１６０の入射面１６１に到達することができる。また光源１８０から発散される光の一部は変光色部１５０に到達することができる。この場合、光の一部は、変光色部１５０を刺激し、変光色部１５０が色を変化した光を出射するようにする。光源１８０でとしては発光ダイオードなどが用いられる。
【０１０５】
基板１８１に光源１８０が設置され、光源１８０の光の照射を制御することができる。基板１８１には光源１８０の光の照射制御のために半導体チップ及び回路が設置される。基板１８１はディスプレイ装置１００ａの多様な動作を制御することができる。
【０１０６】
スペーサ１９０は基板１８１と反射板１７０との間に設置されて基板１８１に設置された部品と反射板１７０とが互いに毀損されることを防止する。スペーサ１９０は基板１８１または反射板１７０に相応する形状に形成される。スペーサ１９０はシリコンなどで製作される。
【０１０７】
図３を参照すると、第１固定部１３１は、中間ハウジング１３０で光学板１２０及び量子ドット板１４０が設けられた方向に突出された形状を有する。第１固定部１３１はディスプレイパネル１１０が配置された方向の一面である上面に光学板１２０が配置される。第１固定部１３１は導光板１６０が配置された方向の一面である下面に量子ドット板１4０が設置される。第１固定部１３１の上面は光学板１２０の下面に対面し、第１固定部１３１の下面は量子ドット板１4０の上面と対面することができる。言い換えれば、第１固定部１３１は、光学板１２０及び量子ドット板１４０との間に挿入された形態に設けられる。第１固定部１３１は、光学板１２０または量子ドット板１4０に接することができ、必要に応じて付着される。
【０１０８】
光学板１２０は第１固定部１３１の上面から量子ドット板１４０の上面に沿って配置され得る。第１固定部１３１は末端に光学板１２０の設置の便宜及び毀損防止のために所定角に切削された切削面１３２がさらに形成される。切削面１３２を形成することで、第１固定部１３１末端の角と光学板１２０との摩擦により光学板１２０に摩耗が発生することを防止することができる。
【０１０９】
第１固定部１３１の下部には、変光色部１５０が配置される。変光色部１５０設置の便宜のために第１固定部１３１の下部には配置溝１５０ａが設けられる。配置溝１５０ａは第１固定部１３１の下部から上部方向に陥没されて形成されたものとすることができる。配置溝１５０ａには、変光色部１５０が挿入されるなどの方法で設置される。配置溝１５０ａは実施形態によって省略することができる。
【０１１０】
変光色部１５０は、一面が量子ドット板１４０と接し、他面が第１固定部１３１の下面、または第１固定部１３１の下部に設けられた配置溝１５０ａの内側面に接するように設置され得る。よって量子ドット板１４０の一面には導光板１６０が設置され、導光板１６０が設けられた一面に対応される他面には変光色部１５０が設置される。一実施形態によれば、変光色部１５０は全部が量子ドット板１４０と接することができる。他の一実施形態によれば、変光色部１５０の一部は、量子ドット板１４０に接し、他の一部は量子ドット板１４０に接せず、光源１８０が配置された空間１８０ｂに露出され得る。
【０１１１】
変光色部１５０は、上述のように入射光の色相と異なった色相の出射光を放出することができる。一実施形態によれば、変光色部１５０は蛍光物質を含む。
【０１１２】
第１固定部１３１の下部には、光源１８０から照射された光を反射させるための補助反射部１８２がさらに設けられる。補助反射部１８２は、光源１８０から照射されるが、導光板１６０方向から照射されない光を導光板１６０方向に直接または他の補助反射部を介して反射させることができる。これにより補助反射部１８２は光源１８０から照射された光の漏洩を防止して光効率を増加させることができる。補助反射部１８２は変光色部１５０の側面に設置される。
【０１１３】
補助反射部１８２は第１固定部１３１の下部に設けられる白色物質を含む。白色物質は、第１固定部１３１の下部に塗布される染料とすることができ、第１固定部１３１の下部に付着する白色のストリップ（ｓｔｒｉｐ）とすることができる。さらに補助反射部１８２は反射鏡を含むことができる。その他にも光を反射させるために用いられる多様な手段が補助反射部１８２として用いられる。
【０１１４】
上部ハウジング１０１は、ディスプレイパネル１１０の境界部分に付着してディスプレイパネル１１０を固定させる。上部ハウジング１０１から突出された第２固定部１０３はディスプレイ装置１００ａにおいてベゼルを形成することができる。上部ハウジング１０１は、中間ハウジング１３０と分離して別途の締結手段によって締結または付着されたものとすることができ、中間ハウジング１３０と一体型に形成されたものとすることができる。
【０１１５】
図４は、ディスプレイ装置の一実施形態を概略的に示す図であり、図５はディスプレイ装置の第１実施形態の場合に照射された光が進行する一例を示す図である。
【０１１６】
図４を参照すると、光源１８０から照射された光は、導光板１６０、量子ドット板１４０、光学板１２０及びディスプレイパネル１１０を介して外部に所定画面を形成しながら出射され得る。
【０１１７】
図５を参照すると、光学板１２０は、第１固定部１３１の上面及び量子ドット板１４０の上面に沿って配置され得る。この場合、第１固定部１３１が量子ドット板１４０の上面に配置されて量子ドット板１４０を固定しているので、量子ドット板１４０は第１固定部１３１よりもさらに下方、すなわち基板１８１方向により近く配置される。これにより光学板１２０で量子ドット板１４０と接する一部区域１２０ａは第１固定部１３１に接する他の区域１２０ｂよりもさらに下方、すなわち基板１８１方向により近く位置する。このような位置差により光学板１２０は円の矢印１２４内に示すように、曲がった形状１２０ｃを有することができる。この場合、光学板１２０は、図５に示すように、略Ｓ字の形状に曲がることができる。よって、光学板１２０の曲がった部分１２０ｃと、第１固定部１３１と、量子ドット板１４０との間には空隙１２０ｄが形成され、形成された空隙１２０ｄは光学板１２０と量子ドット板１４０との間の間隙よりもさらに大きくなることができる。
【０１１８】
もし、変光色部１５０がない場合、光源１８０から照射された光のうちの一部の光は第１固定部１３１の下部面に反射されながら量子ドット板１４０または導光板１６０に入射され、反射板１７０により反射された後、空隙１２０ｄを通過した後に光学板１２０及びディスプレイパネル１１０に伝達される（Ａ）。この場合、空隙１２０ｄを通過する光は、光学板１２０と量子ドット板１４０との間の間隙の場合と同様に、空隙１２０ｄにおいて反射及び再反射される。しかし、空隙１２０ｄは、光学板１２０と量子ドット板１４０との間の間隙よりもさらに大きいので、量子ドット板１４０との反応が相対的に微弱となり、その結果、空隙１２０ｄを通過した後に外部に出力される光は意図したものと相違することができる。例えば光源１８０から青色の光を照射した場合、空隙１２０ｄを通過した後に外部に出力された光は意図したよりもさらに青くなることができる。空隙１２０ｄは、光源１８０が形成された付近の導光板１６０の境界または量子ドット板１４０の境界に主に発生するので、図４に示すように、光源１８０と近接した周辺区域（ｚ）には、大略に意図したよりもさらに青色画面が表示される。
【０１１９】
変光色部１５０は、空隙１２０ｄを通過する光の色相を変化させ、意図のない光が出射されることを防止する。もし光源１８０で青色の光が照射された場合、変光色部１５０は入射される青色の光に対応する色の光を出射する。この場合に、出射される光は黄色が補強された光とすることができる。
【０１２０】
図６は、変光色部による光の色相の変化を説明するための図である。具体的に図６は、国際照明委員会（ＣＩＥ）色座標（ＣＩＥ  １９３１）を示す図である。図６のｙ軸方向の区域には緑色Ｇまたは緑色に近い色が配置され、ｘ軸方向の区域には赤色Ｒまたは赤色に近い色が配置され、原点に近い区域には青色Ｂまたは青色に近い色が配置される。一方、緑色Ｇと赤色との間の中間区域には黄色Ｙまたは黄色に近い色が配置される。
【０１２１】
光源１８０から青色の光を照射した場合、光源１８０から放射された青色の光は、図６の第１地点Ｍに対応する色の光とすることができる。変光色部１５０は、光源１８０から放射され、第１地点Ｍに対応する青色光を、図６の第２地点Ｎに対応する色相に変化させて出射することができる。言い換えれば、変光色部１５０は光源１８０から放射された光よりも黄色が補強された光を出射することができる。そうすることで、変光色部１５０から出射された光と量子ドット板１４０との間の反応が相対的に微弱であるとしても黄色がさらに補強されるので、光源１８０と近接する周辺区域（ｚ）には青色画面の代りに元意図した色相と同一であるか、または類似な色相の画面が表示される。よって、ディスプレイ画面において光源１８０が配置された境界付近（ｚ）の色相が意図のように表現され得る。
【０１２２】
第１実施形態において、上部ハウジング１０１、ディスプレイパネル１１０、光学板１２０、量子ドット板１４０、導光板１６０、反射板１７０、スペーサ１９０、基板１８１、光源１８０、中間ハウジング１３０、第１固定部１３１及び変光色部１５０は、上述以外にも、図２を介して説明したものと同一とすることができる。実施形態によって、そのうち一部は通常の技術者が考慮した範囲内で変形され得る。
【０１２３】
以下に、ディスプレイ装置の第２実施形態及び第３実施形態について説明する。図７はディスプレイ装置の第２実施形態の側断面図であり、図８はディスプレイ装置の第３実施形態の側断面図である。
【０１２４】
図７及び図８に示すディスプレイ装置の第２実施形態及び第３実施形態によれば、ディスプレイ装置１００ｂ、１００ｃは上部ハウジング１０１、ディスプレイパネル１１０、光学板１２０、量子ドット板１４０、導光板１６０、反射板１７０、スペーサ１９０、基板１８１、光源１８０、中間ハウジング１３０、第１固定部１３１及び変光色部１５０を含み、変光色部１５０の周辺に設置される第１光吸収部１５１をさらに含む。そのうち一部は実施形態によって省略することができる。
【０１２５】
ディスプレイパネル１１０は、薄板トランジスタ基板１１１及び色相表示基板１１２を含む液晶ディスプレイパネルとすることができ、その他にも多様な種類のディスプレイパネルとすることができる。
【０１２６】
光学板１２０は、量子ドット板１４０から出射された光をディスプレイパネル１１０に伝達する。光学板１２０と量子ドット板１４０との間には間隙や空隙が形成される。
【０１２７】
量子ドット板１４０は、導光板１６０から出射された光を受光した後に出射される光の色を選択的に変化させることができる。量子ドット板１４０の内部には、光の色を変化させることができる量子ドットが分散され得る。
【０１２８】
導光板１６０は、光源１８０方向に設けられた入射面１６１に光源１８０から発散された光、または変光色部１５０から出射された光が入射される。光源１８０から発散された光、または変光色部１５０から出射された光は導光板１６０の出射面１６２を介して入射される。導光板１６０内部では入射光が１回以上反射しながら進行される。導光板１６０内部で反射された入射光は出射面１６２を介して量子ドット板１４０方向に出射され得る。導光板１６０はポリメチルメタアクリレートやポリメチルスチレンなどのような合成樹脂に製作され得る。
【０１２９】
反射板１７０は、導光板１６０の反射面１６３に配置されることができ、反射面１６３に到達した光を導光板１６０内部で再反射することができる。反射板１７０は光源１８０周辺にまで延長されて設置されることで、光源１８０から出射された光のうちの一部を導光板１６０の入射面１６１方向に反射させることができる。反射板１７０はポリエチレンテレフタレートまたはポリカーボネートなどに製作され得る。
【０１３０】
光源１８０は青色などのような所定色の光を発散することができる。光源１８０から発散された光の一部は直接導光板１６０の入射面１６１に到達するか、補助反射部１８２により反射された後、導光板１６０の入射面１６１に到達するか、または変光色部１５０に到達することができる。光源１８０から発散された光の一部は第１光吸収部１５１に吸収され得る。光源１８０としては発光ダイオードなどが採用され得る。
【０１３１】
基板１８１には光源１８０が設置され、光源１８０の光の照射を制御することができる。基板１８１には光源１８０の光の照射制御のために半導体チップ及び回路が設けられる。基板１８１は、ディスプレイ装置１００ｂ、１００ｃの多様な動作を制御することができる。
【０１３２】
スペーサ１９０は、基板１８１と反射板１７０との間に設置されて基板１８１に設置された部品と反射板１７０とが互いに毀損されることを防止することができる。
【０１３３】
第１固定部１３１は、中間ハウジング１３０で光学板１２０及び量子ドット板１４０が設けられた方向に突出された形状を有し、量子ドット板１４０を固定する機能を提供する。第１固定部１３１の上面は光学板１２０の下面に対面し、第１固定部１３１の下面は量子ドット板１4０の上面と対面するように設けられる。
【０１３４】
変光色部１５０は、上述のように、入射光の色相と異なった色相の出射光を放出することができる。一実施形態によれば、変光色部１５０は蛍光物質を含む。変光色部１５０は一面が量子ドット板１４０と接し、他面が第１固定部１３１の下面、または第１固定部１３１の下部に設けられた配置溝１５０ａの内側面に接するように設置され得る。
【０１３５】
上部ハウジング１０１はディスプレイパネル１１０の境界部分に付着されてディスプレイパネル１１０を固定させることができる。上部ハウジング１０１から突出された第２固定部１０３は、ディスプレイ装置１００ａにおいてベゼルを形成することができる。上部ハウジング１０１は中間ハウジング１３０に付着される。上部ハウジング１０１は中間ハウジング１３０の一部が延長されて形成したものとすることができる。
【０１３６】
第１光吸収部１５１は、光を吸収する素材で形成され、具体的に黒色物質を含む。黒色物質は第１固定部１３１の一面に塗布され得る黒色の染料とすることができ、第１固定部１３１の一面に付着される黒色のストリップとすることができる。
【０１３７】
一実施形態によれば、図７に示すように、第１光吸収部１５１は変光色部１５０の側面に隣接して並んで設置され得る。第１光吸収部１５１は相対的に光源１８０が配置される方向に設置され、変光色部１５０は相対的に量子ドット板１4０または導光板１７０が設けられた方向に設置される。
【０１３８】
第１光吸収部１５１は光源１８０から照射された光のうちの一部を吸収して所定範囲の入射角の光だけが変光色部１５０に入射されるようにする。これによって、所定範囲の入射角の光に対応する光だけが変光色部１５０により色が変化され出射されて量子ドット板１4０または導光板１７０に入射される。所定範囲の入射角以外の光は吸収され、量子ドット板１４０または導光板１６０に伝達されない。この場合、第１光吸収部１５１は、光源１８０が配置された空間１８０ｂに露出されることもでき、量子ドット板１４０に接することもでき、導光板１６０に接することもできる。さらに第１光吸収部１５１の一部は光源１８０が配置された空間１８０ｂに露出され、他の一部は量子ドット板１４０に接することができる。それだけでなく、第１光吸収部１５１の一部は、光源１８０が配置された空間１８０ｂに露出され、他の一部は導光板１６０に接することができる。
【０１３９】
他の一実施形態によれば、図８に示すように、第１光吸収部１５１は変光色部１５０の第１固定部１３１方向の一面である背面に接するように形成され得る。言い換えれば、第１光吸収部１５１と変光色部１５０は互いに積層され得る。この場合、第１光吸収部１５１は一面が配置溝１５０ａの内側面に接し、他面が変光色部１５０の一面に接する。変光色部１５０の一面は第１光吸収部１５１の他面に接し、他面は空間１８０ｂに露出されるか、量子ドット板１４０に接するか、または導光板１６０に接する。この場合、第１光吸収部１５１は変光色部１５０を通過した光の全部または一部を吸収することができる。これにより、第１光吸収部１５１は変光色部１５０に入射された光のうちの一部の光に対応し、異なった色相の外部１８０ｂに光が出射されるようにすることができる。これにより、変光色部１５０から出射される光の量を調節することができる。
【０１４０】
その他に、第２実施形態及び第３実施形態において、上部ハウジング１０１、ディスプレイパネル１１０、光学板１２０、量子ドット板１４０、導光板１６０、反射板１７０、スペーサ１９０、基板１８１、光源１８０、中間ハウジング１３０、第１固定部１３１及び変光色部１５０は、図２及び図３を介して説明したものと同一である。必要に応じて、上部ハウジング１０１、ディスプレイパネル１１０、光学板１２０、量子ドット板１４０、導光板１６０、反射板１７０、スペーサ１９０、基板１８１、光源１８０、中間ハウジング１３０、第１固定部１３１及び変光色部１５０は一部変形され得る。
【０１４１】
以下に、図９及び図１０を参照してディスプレイ装置の第４実施形態及び第５実施形態について説明する。
【０１４２】
図９は、ディスプレイ装置の第４実施形態の側断面図である。
【０１４３】
図９に示すディスプレイ装置の第４実施形態によれば、ディスプレイ装置１００ｄは、上部ハウジング１０１、ディスプレイパネル１１０、光学板１２０、量子ドット板１４０、導光板１６０、反射板１７０、光源１８０、基板１８１、補助反射部１８２、スペーサ１９０、中間ハウジング１３０、第１固定部１３１及び変光色部１５０を含み、反射板１７０の側面に設置される第２光吸収部１８３をさらに含む。そのうちの一部は実施形態によって省略することができる。
【０１４４】
ディスプレイパネル１１０としては、液晶ディスプレイパネルなどの多様なパネルが採用され得る。
【０１４５】
光学板１２０は、量子ドット板１４０から出射された光をディスプレイパネル１１０に伝達することができる。光学板１２０と量子ドット板１４０との間には間隙や空隙が形成される。
【０１４６】
量子ドット板１４０は、導光板１６０から出射された光を受光し、導光板１６０から出射された光の波長を変化させることで、出射された光の色を変化させることができる。量子ドット板１４０内部には、量子ドットが分散され得て、量子ドットは伝達された光の色を選択的に変化させることができる。
【０１４７】
導光板１６０には、光源１８０から発散された光または変光色部１５０から出射された光が入射される。光源１８０から発散された光または変光色部１５０から出射された光は大略に導光板１６０の入射面１６１を介して入射され、場合によって出射面１６２を介して入射される。導光板１６０内部では入射光が１回以上反射しながら進行することができる。導光板１６０内部で１回以上反射しながら進行した入射光は出射面１６２を介して量子ドット板１４０方向に出射され得る。これにより、導光板１６０は入射光を導光板１６０の出射面１６２方向に設置された量子ドット板１４０に均一に供給させることができる。導光板１６０はポリメチルメタアクリレートやポリメチルスチレンなどのような合成樹脂に製作され得る。
【０１４８】
反射板１７０は、導光板１６０の反射面１６３に配置され、反射面１６３に到達した光を導光板１６０内部に再反射させることができる。反射板１７０はポリエチレンテレフタレートまたはポリカーボネートなどに製作され得る。図９に示すように、反射板１７０側面には第２光吸収部１８３が設けられる。
【０１４９】
光源１８０は光を発散することができる。光源１８０から発散された光は所定色を有することができる。ここで所定色は青色を含む。光源１８０から発散された光の一部は直接導光板１６０の入射面１６１に到達することもでき、補助反射部１８２、１８４により反射された後に導光板１６０の入射面１６１に到達することもでき、または変光色部１５０に到達することもできる。さらに光源１８０から照射された光は第２光吸収部１８３に吸収され得る。光源１８０としては発光ダイオードなどが用いられる。
【０１５０】
基板１８１には光源１８０が設置される。基板１８１は光源１８０に電気的信号を印加して光源１８０の光の照射を制御することができる。基板１８１には、光源１８０の光の照射制御のために半導体チップ及び回路が設置される。基板１８１は、ディスプレイ装置１００ｄ、１００ｅの多様な動作を制御することができる。
【０１５１】
スペーサ１９０は基板１８１と反射板１７０との間に設置され、基板１８１に設置された部品と反射板１７０が互いを毀損することを防止する。
【０１５２】
第１固定部１３１は、中間ハウジング１３０で光学板１２０及び量子ドット板１４０が設けられた方向に突出された形状を有し、量子ドット板１４０を固定する機能を提供する。第１固定部１３１の上面は光学板１２０の下面に対面し、第１固定部１３１の下面は量子ドット板１4０の上面と対面するように設けられる。
【０１５３】
変光色部１５０は、上述のように入射光の色相と異なった色相の出射光を放出することができる。一実施形態によれば、変光色部１５０は蛍光物質を含む。変光色部１５０は一面が量子ドット板１４０と接し、他面が第１固定部１３１の下面、または第１固定部１３１の下部に設けられた配置溝１５０ａの内側面に接するように設置される。
【０１５４】
上部ハウジング１０１は、ディスプレイパネル１１０の境界部分に付着してディスプレイパネル１１０を固定させることができる。上部ハウジング１０１は突出された第２固定部１０３を含む。
【０１５５】
第２光吸収部１８３は、変光色部１５０から出射された光や光源１８０から照射された光を吸収することができる。第２光吸収部１８３は変光色部１５０から出射された光や光源１８０から照射された光のうちの一部を吸収するので、変光色部１５０から出射され、所定範囲の出射角の光だけが量子ドット板１４０または導光板１６０に伝達される。よって、量子ドット板１４０または導光板１６０の内部に入射される光を調節することができる。さらに第２光吸収部１８３は導光板１６０の内部に入射される光の量を調節することができる。
【０１５６】
第２光吸収部１８３は基板１８１またはスペーサ１９０の一面に設置される。
【０１５７】
一実施形態によれば、第２光吸収部１８３は、図９に示すように、反射板１７０の側面に配置され、必要に応じて反射板１７０の側面と接するように配置される。第２光吸収部１８３は、反射板１７０の側面に設けられるように基板１８１に設置され、この場合、第２光吸収部１８３が反射板１７０の側面に設けられるように基板１８１には所定大きさの突起１８１ａがさらに設けられる。
【０１５８】
第２光吸収部１８３は、黒色物質を含む光を吸収することができる素材で形成される。ここで、黒色物質は、基板１８１またはスペーサ１９０の一面に塗布される黒色の染料とすることができ、基板１８１またはスペーサ１９０一面の一面に付着される黒色のストリップとすることができる。
【０１５９】
図１０は、ディスプレイ装置の第５実施形態の側断面図である。
【０１６０】
図１０に示すディスプレイ装置の第５実施形態によれば、ディスプレイ装置１００ｅは上述の上部ハウジング１０１、ディスプレイパネル１１０、光学板１２０、量子ドット板１４０、導光板１６０、反射板１７０、光源１８０、基板１８１、補助反射部１８２、スペーサ１９０、中間ハウジング１３０、第１固定部１３１及び変光色部１５０の他にも、反射板１７０の側面に設置される第２光吸収部１８３及び光吸収部１８３の側面に設置される補助反射部１８４をさらに含む。そのうちの一部は実施形態によって省略することができる。
【０１６１】
第２光吸収部１８３は、変光色部１５０から出射された光や光源１８０から照射された光を吸収することができる。第２光吸収部１８３は変光色部１５０から出射された光や光源１８０から照射された光のうちの一部を吸収して特定の光だけが量子ドット板１４０または導光板１６０内部に入射されるようにすることができる。
【０１６２】
第２光吸収部１８３は、基板１８１またはスペーサ１９０の一面に設置される。
【０１６３】
第２光吸収部１８３は、図１０に示すように、反射板１７０の側面に配置されることができ、必要に応じて反射板１７０の側面と接することができる。第２光吸収部１８３は、反射板１７０の側面に設けられるように基板１８１に設置されることができ、この場合、第２光吸収部１８３が反射板１７０の側面に設けられるように、基板１８１には所定大きさの突起１８１ａがさらに設けられる。
【０１６４】
第２光吸収部１８３は黒色物質を含む光を吸収することができる素材で形成される。ここで、黒色物質は、基板１８１またはスペーサ１９０の一面に塗布され得る黒色の染料とすることができ、基板１８１またはスペーサ１９０の一面の一面に付着される黒色のストリップとすることができる。
【０１６５】
補助反射部１８４は光源１８０から照射された光を量子ドット板１４０、導光板１６０または変光色部１５０方向に反射させることができる。また補助反射部１８４は変光色部１５０から出射された光を反射させて量子ドット板１４０または導光板１６０方向に進行するようにする。補助反射部１８４が入射される光を量子ドット板１４０、導光板１６０または変光色部１５０方向に反射させることができるので、光源１８０から照射された光または変光色部１５０から出射された光の漏洩を防止して光効率を増進させることができる。
【０１６６】
補助反射部１８４は、第２光吸収部１８３が設けられた基板１８１またはスペーサ１９０の一面に設置される。図１０に示すように、補助反射部１８４は、第２光吸収部１８３の側面に並んで基板１８１の一面に配置される。一実施形態によれば、補助反射部１８４は、基板１８１に設けられた所定大きさの突起１８１ａの上面に塗布されるか、または付着されることで、反射板１７０の側面付近に配置される。
【０１６７】
補助反射部１８４は、基板１８１またはスペーサ１９０の一面に設置可能な白色物質を含む。白色物質は基板１８１またはスペーサ１９０の一面に塗布される白色染料とすることができ、基板１８１またはスペーサ１９０の一面に付着する白色のストリップとすることができる。また補助反射部１８４は光を反射する反射鏡を含むことができる。その他にも光を反射させるために用いられる多様な手段が補助反射部１８４として用いられる。
【０１６８】
第４実施形態及び第５実施形態において、上部ハウジング１０１、ディスプレイパネル１１０、光学板１２０、量子ドット板１４０、導光板１６０、反射板１７０、スペーサ１９０、基板１８１、光源１８０、中間ハウジング１３０、第１固定部１３１及び変光色部１５０は、図２及び図３を介して説明したように同一のものとすることができる。実施形態によって、これらは同じく、または通常の技術者が考慮した一部の変形を介して第４実施形態または第５実施形態に適用され得る。例えば第４実施形態または第５実施形態のディスプレイアセンブリ１００ｄ、１００ｅは、変光色部１５０の周辺に設置される第１光吸収部１５１をさらに含むことができ、第１光吸収部１５１は変光色部１５０の側面に接して並んで設置されることができ、変光色部１５０に積層されるように変光色部１５０の背面に接して設けられ得る。
【０１６９】
以下に、図１１を参照してディスプレイ装置の第６実施形態について説明する。図１１は、ディスプレイ装置の第６実施形態の側断面図である。
【０１７０】
図１１に示すディスプレイ装置の第６実施形態によれば、ディスプレイ装置１００ｆは、上部ハウジング１０１、ディスプレイパネル１１０、光学板１２０、量子ドット板１４０、導光板１６０、反射板１７０、スペーサ１９０、基板１８１、光源１８０、中間ハウジング１３０、第２形態の第１固定部１３３及び変光色部１５０を含む。そのうちの一部は実施形態によって省略することができる。
【０１７１】
ディスプレイパネル１１０は、液晶ディスプレイパネルなど多様な種類のディスプレイパネルを含む。
【０１７２】
光学板１２０は、量子ドット板１４０から出射された光をディスプレイパネル１１０に伝達することができ、光学板１２０と量子ドット板１４０との間には間隙や空隙が形成される。
【０１７３】
量子ドット板１４０は、導光板１６０から出射された光を受光した後、光の色を変化させた後に出射することができる。量子ドット板１４０の内部には光の色を変化させることができる量子ドットが分布され得る。
【０１７４】
導光板１６０は、光源１８０から発散された光または変光色部１５０から出射された光が入射される。光源１８０から発散された光、または変光色部１５０から出射された光は、導光板１６０の入射面１６１を介して主に入射されるが、場合によって出射面１６２を介して入射される。入射された入射光は１回以上反射しながら導光板１６０内部に進行したのち、出射面１６２を介して量子ドット板１４０方向に放出され得る。導光板１６０は、ポリメチルメタアクリレートやポリメチルスチレンなどのような合成樹脂に形成されたものとすることができる。
【０１７５】
反射板１７０は、導光板１６０の反射面１６３に配置されることができ、反射面１６３に到達した光を導光板１６０内部で再反射させることができる。反射板１７０は、光源１８０周辺にまで延長されて設置されることで、光源１８０から出射された光のうちの一部を導光板１６０の入射面１６１方向に反射させることができる。一実施形態によれば、反射板１７０の側面には、図９に示すように、第２光吸収部１８３が設けられてもよい。さらに他の一実施形態によれば、図１０に示すように、反射板１７０の側面には第２光吸収部１８３が用いられ、第２光吸収部１８３の側面には補助反射部１８４がさらに設けられる。反射板１７０は、ポリエチレンテレフタレートまたはポリカーボネートなどの素材で形成され得る。
【０１７６】
光源１８０は、所定色の光を発散することができ、ここで所定色は青色を含む。光源１８０から発散された光の一部は直接導光板１６０の入射面１６１に到達することができ、補助反射部１８２により反射した後に導光板１６０の入射面１６１に到達することができ、または変光色部１５０に到達することができる。光源１８０から発散された光の一部は、図７及び図８に示す第１光吸収部１５１または図９及び図１０に示す第２光吸収部１８３に吸収され得る。上述の光源１８０は発光ダイオードなどを含む。
【０１７７】
基板１８１には光源１８０が設置され、光源１８０の光の照射を制御することができる。基板１８１には、光源１８０の光の照射制御のために半導体チップ及び回路が設けられる。基板１８１はディスプレイ装置１００ｆの多様な動作を制御することができる。
【０１７８】
スペーサ１９０は、基板１８１と反射板１７０との間に設置されて基板１８１に設置された部品と反射板１７０が互いに毀損されることを防止することができる。
【０１７９】
上部ハウジング１０１は、ディスプレイパネル１１０の境界部分に付着されてディスプレイパネル１１０を固定させることができる。上部ハウジング１０１から突出された第２固定部１０３はディスプレイ装置１００ａでベゼルを形成することができる。
【０１８０】
第２形態の第１固定部１３３は、第１実施形態ないし第５実施形態の第１固定部１３１とは相違する形状に設けられる。第２形態の第１固定部１３３は、中間ハウジング１３０から光学板１２０及び量子ドット板１４０が設けられた方向に突出されて設けられる。
【０１８１】
第１固定部１３３の上面には、光学板１２０が配置されることができ、第１固定部１３３の下面には量子ドット板１4０が設置される。第１固定部１３３の上面は第１固定部１３３からディスプレイパネル１１０が配置された方向の一面を意味し、下面は基板１８１が配置された方向の一面を意味する。第１固定部１３３の上面は光学板１２０の下面に対面し、第１固定部１３３の下面は量子ドット板１4０の上面と対面することができる。
【０１８２】
よって、上述と同様に、第２形態の第１固定部１３３も光学板１２０及び量子ドット板１４０との間に挿入された形態に設置され得る。第１固定部１３３の下面は量子ドット板１4０の上面と接触することができ、図１１に示すように、所定間隔１３５に離隔され得る。
【０１８３】
光学板１２０は、第２形態の第１固定部１３３の上面から量子ドット板１４０の上面に沿って配置され得る。第１固定部１３３は末端に光学板１２０の毀損を防止するために所定の角に切削された切削面１３４がさらに形成される。
【０１８４】
光学板１２０、第１固定部１３３及び量子ドット板１４０との間には空隙１２０ｄが形成される。空隙１２０ｄは、光学板１２０及び量子ドット板１４０の間に設けられた間隙より体積面からさらに大きいとすることができる。このような空隙１２０ｄによって、図４に示すように、光源１８０と近接した周辺区域（ｚ）には大略に意図したよりもさらに青色画面が表示され得る。
【０１８５】
第１固定部１３３及び量子ドット板１４０との間にも空隙１２０ｆが形成される。変光色部１５０は、図１１に示すものとは異なって第１固定部１３３及び量子ドット板１４０との間の空隙１２０ｆに露出され得る。この場合、変光色部１５０から出射される光は量子ドット板１４０に直接伝達され得る。
【０１８６】
第２形態の第１固定部１３３の下部には、変光色部１５０が配置される。この場合、変光色部１５０は量子ドット板１４０と接しないように、第１固定部１３３の下部に配置される。この場合、変光色部１５０は量子ドット板１４０の側面に位置するように、第１固定部１３３の下部に配置される。変光色部１５０と量子ドット板１４０は互いに任意の間隔で離隔され得る。変光色部１５０と量子ドット板１４０との間の間隔は、設計者の選択によって任意的に決定することができる。これにより、第１固定部１３３の末端周辺の下面の一区域である第１面には量子ドット板１４０の一末端の上面が接するか、または近接するように配置され、第１固定部１３３の末端から中間ハウジング１３０方向の下面の一区域である第２面には変光色部１５０が接するように配置される。ここで、第１面と第２面は互いに重畳される領域が存在し得ない。
【０１８７】
必要に応じて第２形態の第１固定部１３３の下部には、変光色部１５０が挿入されるなどの方法で設けられた配置溝１５０ａが形成され得る。配置溝１５０ａは、変光色部１５０が量子ドット板１４０と接しないように量子ドット板１４０が接するか、または近接して配置される第１面には形成し得ない。配置溝１５０ａは省略することができる。
【０１８８】
変光色部５０は一面が導光板１６０と接することができる。導光板１６０と接する一面に対向する他面は第１固定部１３３の下面、または第１固定部１３３の下部に設けられた配置溝１５０ａの内側面に接するように設置され得る。一実施形態によれば、変光色部１５０は全部が導光板１６０と接することができる。他の一実施形態によれば、変光色部１５０の一部は、導光板１６０に接し、他の一部は導光板１６０に接せず、光源１８０が配置された空間１８０ｂに露出され得る。
【０１８９】
一実施形態によれば、第２形態の第１固定部１３３の下部には、第１光吸収部１５１がさらに設置され得る。一実施形態によれば、第１光吸収部１５１は図７に示すように、変光色部１５０の側面に隣接して並んで設置され得る。この場合、第１光吸収部１５１は、光源１８０から照射される光のうちの一部を吸収して所定範囲の入射角の光だけが変光色部１５０に入射されるようにすることができる。他の一実施形態によれば、図８及び図１１に示すように、第１光吸収部１５１は、変光色部１５０の背面に接するように形成され得る。言い換えれば、第１光吸収部１５１の一面は第１固定部１３３の下部に付着され、変光色部１５０は第１光吸収部１５１の他面に付着されて積層された形態に形成される。この場合、第１光吸収部１５１は、変光色部１５０を通過した光の全部または一部を吸収して変光色部１５０に入射された光のうちの一部の光に対応する異なった色相の光が外部空間１８０ｂに放出されるようにすることができる。実施形態によって第１光吸収部１５１は省略することができる。
【０１９０】
上述の変光色部１５０は、上述のように、入射光の色相と異なった色相の出射光を放出することができる。一実施形態によれば、変光色部１５０は蛍光物質を含む。
【０１９１】
変光色部１５０の側面には、補助反射部１８４がさらに設けられる。補助反射部１８２は、第２形態の第１固定部１３３の下部に設置されるなどの方法で配置可能な白色物質を含む。白色物質は、第１固定部１３３の下部に塗布される白色の染料とすることができ、第１固定部１３３の下部に付着される白色のストリップ（ｓｔｒｉｐ）とすることができる。
【０１９２】
以下に、図１２を参照してディスプレイ装置の第７実施形態について説明する。図１２は、ディスプレイ装置の第７実施形態の側断面図である。
【０１９３】
図１２に示すディスプレイ装置の第７実施形態によれば、ディスプレイ装置１００ｇは、ディスプレイパネル１１０、光学板１２０、ハウジング１３０、量子ドット板１４０、導光板１６０、反射板１７０、光源１８０、基板１８１、スペーサ１９０及び変光色部１５０を含む。そのうちの一部は実施形態によって省略することができる。
【０１９４】
ディスプレイパネル１１０は、液晶ディスプレイパネルとすることができる。
【０１９５】
光学板１２０は、量子ドット板１４０から出射された光をディスプレイパネル１１０に伝達することができる。光学板１２０と量子ドット板１４０との間には間隙や空隙が形成される。
【０１９６】
量子ドット板１４０は、導光板１６０から出射された光を受光した後に出射される光の色を選択的に変化させることができる。量子ドット板１４０の内部には光の色を変化させることができる量子ドットが分散され得る。
【０１９７】
導光板１６０は、光源１８０から発散された光、または変光色部１５０から出射された光が入射される。導光板１６０内部の入射光は１回以上反射しながら量子ドット板１４０方向に出射され得る。導光板１６０は、ポリメチルメタアクリレートやポリメチルスチレンなどのような合成樹脂に製作され得る。
【０１９８】
反射板１７０は、導光板１６０の反射面１６３に配置されることができ、反射面１６３に到達された光を導光板１６０内部で再反射させることができる。反射板１７０は、ポリエチレンテレフタレートまたはポリカーボネートなどに製作され得る。
【０１９９】
光源１８０は、青色などのような所定色の光を発散することができる。光源１８０から発散された光の一部は直接導光板１６０の入射面１６１に到達するか、補助反射部１８２により反射した後に導光板１６０の入射面１６１に到達するか、または変光色部１５０に到達することができる。光源１８０から発散された光の一部は、第１光吸収部１５１に吸収され得る。光源１８０としては、発光ダイオードなどが採用され得る。
【０２００】
基板１８１には光源１８０が設置され、光源１８０の光の照射を制御することができる。基板１８１には光源１８０の光の照射制御のために半導体チップ及び回路が設けられる。基板１８１はディスプレイ装置１００ｇの多様な動作を制御することができる。
【０２０１】
スペーサ１９０は、基板１８１と反射板１７０との間に設置されて基板１８１に設置された部品と反射板１７０が互いに毀損されることを防止することができる。
【０２０２】
ハウジング１３０は、変光色部１５０が設けられた変光色部設置部１３７が設置される。変光色部設置部１３７は、基板１８１方向の下面に設けられ、変光色部１５０が設置される設置面を含む。変光色部設置部１３７はディスプレイパネル１１０などが設けられた内側方向に突出された形状を備えることができる。変光色部設置部１３７は、第１固定部１３１とは異なるように光学板１２０及び量子ドット板１４０との間に挿入される形状を備えない。言い換えれば、変光色部設置部１３７の上面や下面には光学板１２０及び量子ドット板１４０が接するか、または近接して配置し得ない。よって、変光色部設置部１３７は光学板１２０や量子ドット板１４０を固定する機能を提供し得ない。
【０２０３】
変光色部設置部１３７に設置される変光色部１５０は、上述のように、入射光の色相と異なった色相の出射光を放出することができる。一実施形態によれば、変光色部１５０は蛍光物質を含む。変光色部１５０は一面が導光板１６０と接するように設置され得る。
【０２０４】
変光色部設置部１３７には、第１光吸収部１５１がさらに設けられる。一実施形態によれば、第１光吸収部１５１は、図７に示すように、変光色部１５０の側面に隣接して並んで変光色部設置部１３７に設置される。他の一実施形態によれば、図８及び図１１に示すように、第１光吸収部１５１は変光色部１５０の背面に接するように変光色部設置部１３７に設置され得る。第１光吸収部１５１は光を吸収することができる素材で形成され、詳しくは黒色の染料または黒色ストリップなどのような黒色物質を含む。
【０２０５】
ハウジング１３０内側の空間１８０ｂの内側面には補助反射部１８２が設けられる。補助反射部１８２は互いに相違する位置に配置される複数の補助反射部１８２ａ、１８２ｂを含む。複数の補助反射部１８２ａ、１８２ｂは、互いに相違する位置で相違する照射角の光を反射させて変光色部１５０、第１光吸収部１５１または導光板１６０方向に伝達することができる。
【０２０６】
ハウジング１３０の上部には、ディスプレイパネル１１０、光学板１２０及び量子ドット板１４０などを固定するための第２形態の第２固定部１３８が設けられる。第２形態の第２固定部１３８は、ハウジング１３０からディスプレイパネル１１０などが設けられた内側方向に突出された形状を備えることができる。第２形態の第２固定部１３８は、変光色部設置部１３７よりもさらに突出されるように形成される。第２形態の第２固定部１３８は、ディスプレイパネル１１０を上部から圧搾してディスプレイパネル１１０、光学板１２０及び量子ドット板１４０などを安定的に固定させることができる。
【０２０７】
以下に、図１３を参照してディスプレイ装置の第８実施形態について説明する。図１３は、ディスプレイ装置の第８実施形態の側断面図である。
【０２０８】
図１３に示すディスプレイ装置の第８実施形態によれば、ディスプレイ装置１００ｈは、上部ハウジング１０１、ディスプレイパネル１１０、光学板１２０、量子ドット板１４０、導光板１６０、反射板１７０、スペーサ１９０、基板１８１、光源１８０、中間ハウジング１３０、第１固定部１３１及び変光色部１５０を含む。そのうちの一部は実施形態によって省略することができる。
【０２０９】
ディスプレイパネル１１０は、薄板トランジスタ基板１１１及び色相表示基板１１２を含む液晶ディスプレイパネルなどの多様な種類のディスプレイパネルにより実現され得る。
【０２１０】
光学板１２０は、量子ドット板１４０から出射された光をディスプレイパネル１１０に伝達することができる。
【０２１１】
量子ドット板１４０は、導光板１６０から出射された光を受光した後に出射される光の色を選択的に変化させることができる。量子ドット板１４０の内部には光の色を変化させることができる量子ドットが分散され得る。
【０２１２】
導光板１６０は、光源１８０方向に設けられた入射面１６１に光源１８０から発散された光、または変光色部１５０から出射された光が入射される。光源１８０から発散された光または変光色部１５０から出射された光は導光板１６０の出射面１６２を介して入射された後、導光板１６０内部で１回以上反射することができる。入射光は出射面１６２を介して量子ドット板１４０方向に出射され得る。導光板１６０は、ポリメチルメタアクリレートやポリメチルスチレンなどのような合成樹脂に製作され得る。
【０２１３】
反射板１７０は、導光板１６０の反射面１６３に配置されることができ、反射面１６３に到達された光を導光板１６０内部で再反射させることができる。反射板１７０は、ポリエチレンテレフタレートまたはポリカーボネートなどに製作され得る。
【０２１４】
光源１８０は、青色などのような所定色の光を発散することができる。光源１８０から発散された光の一部は直接導光板１６０の入射面１６１に到達するか、補助反射部１８２により反射された後に導光板１６０の入射面１６１に到達するか、または変光色部１５０に到達することができる。光源１８０としては発光ダイオードなどが採用され得る。
【０２１５】
基板１８１には光源１８０が設置され、光源１８０の光の照射を制御することができる。基板１８１には光源１８０の光の照射制御のために半導体チップ及び回路が設けられる。基板１８１はディスプレイ装置１００ｈの多様な動作を制御することができる。
【０２１６】
スペーサ１９０は、基板１８１と反射板１７０との間に設置されて基板１８１に設置された部品と反射板１７０が互いに毀損されることを防止することができる。
【０２１７】
第１固定部１３１は、中間ハウジング１３０から光学板１２０及び量子ドット板１４０が設けられた方向に突出された形状を有することができ、量子ドット板１４０などを固定することができる。第１固定部１３１の上面は光学板１２０の下面に対面し、第１固定部１３１の下面は量子ドット板１4０の上面と対面するように設けられる。
【０２１８】
上部ハウジング１０１は、ディスプレイパネル１１０の境界部分に付着されてディスプレイパネル１１０を固定させることができる。上部ハウジング１０１は第２固定部１０３を含む。
【０２１９】
変光色部１５０は、入射光の色相と異なった色相の出射光を外部１８０ｂに放出することができる。一実施形態によれば、変光色部１５０は蛍光物質を含む。変光色部１５０は、図１３に示すように、基板１８１またはスペーサ１９０上に設置される。変光色部１５０は、光源１８０から基板１８１またはスペーサ１９０方向に照射された光を受光し、受光した光に対応する色相が変化された光を出射することができる。変光色部１５０の一面は光源１８０が設けられた内部空間１８０ｂに全部または一部が露出される。
【０２２０】
図７に示すように、変光色部１５０の側面には、第１光吸収部１５１が設けられてもよい。また図８に示すように、変光色部１５０と基板１８１またはスペーサ１９０との間にも第１光吸収部１５１が設けられてもよい。
【０２２１】
以下に、図１４を参照してディスプレイ装置の第９実施形態について説明する。
【０２２２】
図１４は、ディスプレイ装置の第９実施形態の側断面図である。
【０２２３】
図１４に示すディスプレイ装置の第９実施形態によれば、ディスプレイ装置１００ｉは、上部ハウジング１０１、ディスプレイパネル１１０、光学板１２０、量子ドット板１４０、導光板１６０、反射板１７０、スペーサ１９０、基板１８１、光源１８０、中間ハウジング１３０、第１固定部１３１及び変光色部１５０を含み、変光色部１５０の周辺に設置される補助反射部１５１ａをさらに含む。そのうちの一部は実施形態によって省略することができる。
【０２２４】
上部ハウジング１０１、ディスプレイパネル１１０、光学板１２０、量子ドット板１４０、導光板１６０、反射板１７０、スペーサ１９０、基板１８１、光源１８０、中間ハウジング１３０、第１固定部１３１及び変光色部１５０は、他の実施形態を介して説明したのと実質的に同一であるので、詳しい説明は省略するものとする。
【０２２５】
一実施形態によれば、補助反射部１５１ａは、図１４に示すように、変光色部１５０の側面に隣接して並んで設置され得る。補助反射部１５１ａは、変光色部１５０の光源１８０方向側面に設置されることができ、変光色部１５０は相対的に量子ドット板１4０または導光板１７０が設けられた方向に設置される。
【０２２６】
補助反射部１５１ａは、光源１８０から照射された光のうちの導光板１６０方向に照射されない光を導光板１６０方向に反射させることができる。補助反射部１５１ａにより反射された光は直間接的に導光板１６０に入射される。これにより、補助反射部１８２は光源１８０から照射された光の漏洩を防止することができる。
【０２２７】
補助反射部１５１ａは、白色物質によって実現され得る。白色物質は、第１固定部１３１の下部に塗布可能な染料、第１固定部１３１の下部に付着される白色のストリップまたは光を反射させる反射鏡のうちの少なくとも１つを含む。その他にも光を反射させるために用いられる多様な手段が補助反射部１８２として用いられる。
【０２２８】
以下に、図１５ないし図１８を参照してディスプレイ装置の第１０実施形態について説明する。
【０２２９】
図１５はディスプレイ装置の第１０実施形態の分解斜視図であり、図１６はディスプレイ装置の第１０実施形態の側断面図である。
【０２３０】
図１５及び図１６を参照すると、第１０実施形態によるディスプレイ装置１００ｊは、上部ハウジング１０１、ディスプレイパネル１１０、光学板１２０、中間ハウジング１３０、漏光遮断部１３６、量子ドット板１４０、変光色部１５０、導光板１６０、反射板１７０、光源１８０、１８０ａ、印刷回路基板１８１、スペーサ１９０、及び下部ハウジング１９１を含む。実施形態によってそのうちの一部は省略することができる。
【０２３１】
上部ハウジング１０１は、ディスプレイパネル１１０の上部に配置されてディスプレイ装置１００前面の外形を形成し、ディスプレイ装置１００の各種部品を固定させながら外部の直接的な衝撃から保護することができる。
【０２３２】
上部ハウジング１０１は、ベゼルを形成する第２固定部１０３と、第２固定部１０３の端部から下部ハウジング１９１方向に延びる上部ハウジング側面部１０２を含む。上部ハウジング１０１の前面には開口１０４が用いられ、ディスプレイパネル１１０で画面が表示される部分である表示領域が外部に露出され得るようになる。
【０２３３】
上部ハウジング１０１は、必要に応じて省略することができる。上部ハウジング１０１は、中間ハウジング１３０及び下部ハウジング１９１のうち少なくとも１つと一体型に製作されたものとすることができる。
【０２３４】
ディスプレイパネル１１０は、光学板１２０を通過して供給される光を受光し、これにより映像を表示することができる。ディスプレイパネル１１０の一面は開口１０４によって外部に露出され得る。
【０２３５】
ディスプレイパネル１１０は、液晶ディスプレイパネル（ＬＣＤｐａｎｅｌ、Ｌｉｑｕｉｄ  Ｃｒｙｓｔａｌ  Ｄｉｓｐｌａｙ）を含むことができる。
【０２３６】
一実施形態によれば、ディスプレイパネル１１０は、薄膜トランジスタが配置される薄膜トランジスタ基板１１１及び薄膜トランジスタ基板１１１との間に液晶層が設けられる色相表示基板１１２を含む。
【０２３７】
ディスプレイパネル１１０が薄膜トランジスタ基板１１１及び色相表示基板１１２を含む場合、両基板１１１、１１２は互いに所定の距離に離隔され得る。色相表示基板１１２には、カラーフィルタと黒色マットレスが設けられる。薄膜トランジスタ基板１１１には、薄膜トランジスタ基板１１１に駆動信号を印加するための駆動部１１３が設置される。駆動部１１３は、第１基板１１４、第１基板１１４と接続される駆動チップ１１５及び駆動チップ１１５が設置される第２基板１１６を含む。第２印刷回路基板１１６は、実施形態によって軟性印刷回路基板とすることができる。
【０２３８】
上述のディスプレイパネルの他にも通常の技術者が考慮することができる多様なパネルがディスプレイパネル１１０の一例とすることができる。
【０２３９】
必要に応じてディスプレイパネル１１０にはタッチパネルや、偏光板がさらに設けられる。
【０２４０】
光学板１２０は、ディスプレイパネル１１０の外部に露出された一面の反対側に位置する他面に設置される。光学板１２０は、複数のフィルムを含むことができ、複数のフィルムは、例えば、保護フィルム１２１及びプリズムフィルム１２２を含む。実施形態によって、保護フィルム１２１及びプリズムフィルム１２２のうち少なくとも１つは省略することができる。
【０２４１】
光学板１２０と量子ドット板１４０との間には間隙が存在することができる。
中間ハウジング１３０は、ディスプレイパネル１１０と光学板１２０が載置されながら、量子ドット板１４０などの部品を安定的に固定させることができる。
【０２４２】
中間ハウジング１３０には、内側方向に突出された第１固定部１３１が用いられ、第１固定部１３１内側には、量子ドット板１４０から出射された光が通過する開口１３０ａが設けられる。第１固定部１３１の上端には、光学板１２０の一部が、図１６に示すように載置され得る。
【０２４３】
一実施形態によれば、中間ハウジング１３０は、その構造により量子ドット板１４０と直接接するか、または変光色部１５０、または漏光遮断部１３６を間に置いて近接するように配置される。中間ハウジング１３０は、量子ドット板１４０を安定的に固定させることができる。
【０２４４】
他の一実施形態によれば、その構造により中間ハウジング１３０は、導光板１６０と直接接するか、または変光色部１５０、または漏光遮断部１３６を間に置いて近接するように配置されることで、導光板１６０を安定的に固定させることができる。
【０２４５】
さらに他の実施形態によれば、中間ハウジング１３０は、その構造により量子ドット板１４０及び導光板１６０量子をすべて固定させることができる。
【０２４６】
中間ハウジング１３０は、第１固定部１３１を含むことができ、第１固定部１３１は、中間ハウジング１３０から光学板１２０及び量子ドット板１４０が設けられた方向に突出された形状を有することができる。第１固定部１３１は、ディスプレイパネル１１０が配置された方向の一面である上面に光学板１２０が配置されることができ、反対方向の一面には量子ドット板１４０及び導光板１６０が配置される。第１固定部１３１は、光学板１２０と量子ドット板１４０との間、または光学板１２０と導光板１６０との間に挿入された形態に設けられる。第１固定部１３１は、光学板１２０または量子ドット板１4０に接することができ、必要に応じてこれらは互いに所定の接着剤を用いて付着したものとすることができる。
【０２４７】
中間ハウジング１３０には、変光色部１５０が設けられてもよい。例えば変光色部１５０は中間ハウジング１３０の第１固定部１３１の一面に設けられてもよい。変光色部１５０の側面のうちの中間ハウジング１３０の開口１３０ａ方向側面には中間ハウジング１３０の部属素子１５２が設けられ、反対方向側面には漏光遮断部１３６が設けられる。
【０２４８】
変光色部１５０は、上述のように、光源１８０から発散されて入射された入射光の色相と異なった色相の出射光を放出することができる。
【０２４９】
部属素子１５２は、中間ハウジング１３０の第１固定部１３１から量子ドット板１４０方向に突出されるように設置されることができ、量子ドット板１４０を固定する機能を行うことができる。部属素子１５２は、第１固定部１３１と一体型に形成されたものとすることができ、別に製作されて第１固定部１３１の一末端の下部ハウジング１９１方向の一面に設置されるものとすることができる。
【０２５０】
また中間ハウジング１３０には、漏光遮断部１３６がさらに設けられる。漏光遮断部１３６は、光源１８０や、導光板１６０から出射された光が外部に漏出されることを防止する。また漏光遮断部１３６は、量子ドット板１４０、導光板１６０及び第１固定部１３１が互いに毀損せず結合されるようにすることができる。
【０２５１】
漏光遮断部１３６は、中間ハウジング１３０の第１固定部１３１に設置され、より具体的に漏光遮断部１３６は、第１固定部１３１の下部ハウジング１９１方向の一面に設置される。
【０２５２】
漏光遮断部１３６は、変光色部１５０の側面に設けられ、より具体的には変光色部１５０と中間ハウジング１３０の外郭フレーム１３０ｂとの間に設けられる。漏光遮断部１３６は変光色部１５０と接するように設けられてよく、所定の間隔に離隔されるように第１固定部１３１に設けられてもよい。
【０２５３】
漏光遮断部１３６は、外部から印加された力により変形可能な軟性材料を用いて実現されたものとすることができる。例えば漏光遮断部１３６は、天然ゴムや合成樹脂を用いて実現されたものとすることができる。漏光遮断部１３６としては、例えばスポンジ（ｓｐｏｎｇｅ）が採用され得る。
【０２５４】
図１６を参照すると、各部品が結合された状態において漏光遮断部１３６は階段式構造を有することができる。階段式構造を有する場合、漏光遮断部１３６は、量子ドット板１４０及び導光板１６０のうち少なくとも１つと接触されるように設置されることができ、さらに量子ドット板１４０及び導光板１６０両者ともに渡って設置され得る。
【０２５５】
図１７及び図１８は、ディスプレイ装置の第１０実施形態の漏光遮断部を説明するための図である。
【０２５６】
上述のように、漏光遮断部１３６は、スポンジとともに外部から印加された力により変形可能な軟性材料を用いて部材として実現することができ、この場合、漏光遮断部１３６は、第１固定部１３１と導光板１６０、または第１固定部１３１と量子ドット板１４０を結合させる力により階段式構造を形成させることができる。
【０２５７】
図１７を参照すると、漏光遮断部１３６は、第１固定部１３１の底面に付着され得て、この場合漏光遮断部１３６は、初めは六面体の形状からなることができる。実施形態によって、漏光遮断部１３６は六面体以外にさらに多様な形状を有することができる。第１固定部１３１と、量子ドット板１４０が設けられた導光板１６０が互いに接近すると、図１８に示すように、漏光遮断部１３６は量子ドット板１４０及び導光板１６０に接触されることになる。
【０２５８】
この場合、第１固定部１３１と、導光板１６０が互いにさらに接近されると、漏光遮断部１３６は、第１固定部１３１と導光板１６０を互いに接近させた力により圧搾させながら、その形態が変化することになる。このとき、漏光遮断部１３６は、量子ドット板１４０及び導光板１６０の配置形態に相応する形態に変化することになる。例えば図１７及び図１８に示すように、量子ドット板１４０及び導光板１６０は互いに階段式に配置されているので、漏光遮断部１３６も階段状を有するようになる。
【０２５９】
これで漏光遮断部１３６は、量子ドット板１４０及び導光板１６０のうち少なくとも１つと接触する階段式構造を有することができ、この場合、漏光遮断部１３６の一面のうちの一部区域１３６ａは、量子ドット板１４０と接触し、他の一部区域１３６ｂは導光板１６０に接触することができる。一方、漏光遮断部１３６の一面のうちのさらに他の区域１３６ｃは、導光板１６０と光源１８０との間に形成された内部空間に露出される。
【０２６０】
量子ドット板１４０は、導光板１６０から出射された光を光学板１２０に伝達することができる。量子ドット板１４０は、選択的に導光板１６０から出射された光の波長を変化させることで、出射される光の色を変化させることができる。
【０２６１】
量子ドット板１４０と光学板１２０との間には、所定大きさの間隙が形成され、量子ドット板１４０から出射された光は量子ドット板１４０と光学板１２０との間の間隙で１回以上反射及び再反射され得る。光が量子ドット板１４０と光学板１２０との間の間隙で反射及び再反射されるたびに、光は量子ドットにより色が変化され得る。
【０２６２】
変光色部１５０は、光源１８０から発散されて入射された入射光の色相と異なった色相の出射光を放出することができる。変光色部１５０は、入射光が反射するか、または透過する間に入射光の色相を変化させて出射させることができる。
【０２６３】
例えば、変光色部１５０は、入射光の刺激に応じて反応して発光しながら、入射光の波長帯域を変化させて入射光と異なった色相の出射光を放出することができる。実施形態によって変光色部１５０は、入射光の波長よりもさらに長い波長の出射光を外部に放出することができる。
【０２６４】
変光色部１５０から出射された光は導光板１６０及び量子ドット板１４０のうち少なくとも１つに入射される。変光色部１５０から出射された光は直接導光板１６０または量子ドット板１4０に入射されることができ、反射板１７０などのように他の媒体を経由して間接的に導光板１６０または量子ドット板１4０に入射される。変光色部１５０の位置や変光色部１５０が配置された位置の形状によって変光色部１５０から出射された光は主に導光板１６０に入射される。
【０２６５】
変光色部１５０は、蛍光物質を含む。蛍光物質は、中間ハウジング１３０に塗布可能な蛍光物質、または中間ハウジング１３０に付着可能な蛍光ストリップを含む。
【０２６６】
導光板１６０は、量子ドット板１４０に基づいて光学板１２０が配置された方向の反対方向に配置される。導光板１６０は、光源１８０から発散される光を内部で１回以上反射させて光源１８０から発散された光が量子ドット板１４０に均一に供給されるようにすることができる。導光板１６０は、光源１８０から発散された光が入射されるように側面に形成された入射面１６１と、量子ドット板１４０に対応する出射面１６２と、出射面１６２に対面して設けられる反射面１６３を含む。導光板１６０の入射面１６１には光源１８０ａまたは変光色部１５０から出射された光が入射される。
【０２６７】
導光板１６０の反射面１６３には、反射板１７０がさらに付着され得る。反射板１７０は、導光板１６０の反射面１６３を介して出射される光を導光板１６０内部に反射させることができる。
【０２６８】
一実施形態によれば、反射板１７０の側面には、第２光吸収部１８３がさらに設けられる。第２光吸収部１８３は、光源１８０から出射されるか、変光色部１５０から反射するか、または中間ハウジング１３０により実現された空間内で反射された光を吸収することができる。
【０２６９】
第２光吸収部１８３は、導光板１６０と接するように設けられることができ、そのために第２光吸収部１８３は基板１８１から突出された突起１８１ａの一面に設けられる。第２光吸収部１８３は、光源１０及び導光板１６０との間の空隙に露出されるように設置される。さらに第２光吸収部１８３は反射板１７０と所定距離に離隔されて設置され得る。これにより、導光板１６０、反射板１７０及び第２光吸収部１８３との間には空隙１８５が形成される。
【０２７０】
さらに他の一実施形態によれば、反射板１７０の側面には入射された光を反射させる補助反射部１８４がさらに設けられる。補助反射部１８４も第２光吸収部１８３と同様に基板１８１から突出された突起１８１ａの一面に設けられ、光源１０及び導光板１６０との間の空隙に露出される。
【０２７１】
実施形態によって、反射板１７０の側面には、第２光吸収部１８３及び補助反射部１８４の両方が設けられる。この場合、補助反射部１８４は、光源１８０の付近に設置され、第２光吸収部１８３は補助反射部１８４を中心に光源１８０の反対方向に設置される。第２光吸収部１８３及び補助反射部１８４は互いに接するように設置される。
【０２７２】
一実施形態によれば、反射板１７０の一面１７０ａには蛍光物質１７０ｂが形成される。蛍光物質は、反射板１７０の一面１７０ａに塗布可能な染料及び反射板１７０の一面１７０ａに付着可能な蛍光ストリップのうち少なくとも１つを含む。
【０２７３】
反射板１７０に設けられた蛍光物質１７０ｂは、ディスプレイ装置１００ｊが映像を表示する際に光源１８０から照射された光が反射板１７０と量子ドット板１４０との間で反射回数の不足で表示される映像の色相が、当初意図の色相と差を生じることを防止することができる。
【０２７４】
反射板１７０の一面１７０ａに蛍光物質１７０ｂが塗布、または付着されることで、蛍光物質１７０ｂは、図１６に示すように、導光板１６０及び反射板１７０との間に位置する。
【０２７５】
蛍光物質１７０ｂは、所定パターンで反射板１７０の一面１７０ａに形成され、所定パターンは密度及び濃度を変化させて多様に決定される。蛍光物質１７０ｂは、図１５に示すように、反射板１７０の一面１７０ａの境界線に沿って一面１７０ａに塗布または付着される。
【０２７６】
反射板１７０の一面にはスペーサ１９０が設置され、スペーサ１９０は導光板１６０が付着されない反射板１７０の一面に付着される。
【０２７７】
スペーサ１９０は基板１８１の一面に設置されて一方向に突出される各種部品が直接的に反射板１７０に接触されて各種部品や反射板１７０などが毀損されることを防止する。
【０２７８】
スペーサ１９０には基板１８１が設置される。基板１８１は反射板１７０が付着されないスペーサ１９０の他面に付着される。
【０２７９】
基板１８１は、基板１８１に設置された光源１８０に電気的信号を印加して光源１８０が多様な色相の光を照射するようにする。基板１８１には、光源１８０の光の照射やまたはディスプレイ装置１００ｊの各種動作を制御するための多様な部品が設置される。
【０２８０】
光源１８０、１８０ａは所定色の光を多様な方向に照射する。光源１８０は、所定色の光を導光板１６０方向に照射することができるように、基板１８１の一端または両末端に設置される。基板１８１の両末端に複数の光源１８０、１８０ａが設置された場合、一末端の複数の光源１８０は他の末端の複数の光源１８０、１８０ａと対面するように設置される。実施形態によって光源１８０は基板１８１に直接設置されることができ、基板１８１上に別に設けられた載置台の上端に設置され得る。
【０２８１】
下部ハウジング１９１は、上部ハウジング１０１及び中間ハウジング１３０のうち少なくとも１つと接続されてディスプレイ装置１００の外形を形成することができる。
【０２８２】
上述の上部ハウジング１０１、中間ハウジング１３０及び下部ハウジング１９１のうち少なくとも２つは一体型に設けられてもよい。例えば中間ハウジング１３０は下部ハウジング１９１の一部とすることができ、上部ハウジング１０１の一部とすることができる。
【０２８３】
以下に、図１９を参照してディスプレイ装置の第１１実施形態について説明する。図１９はディスプレイ装置の第１１実施形態を示すもので、上部ハウジング１０１、ディスプレイパネル１１０、及び下部ハウジング１９１などは省略されているが、これは説明の便宜のためのことであって、システム設計者の選択によってさらに追加され得る。
【０２８４】
図１９に示す第１１実施形態によれば、ディスプレイ装置１００ｋは、光学板１２０、量子ドット板１４０、導光板１６０、反射板１７０、基板１８１、光源１８０、中間ハウジング１３０、第１固定部１３１、変光色部１５０、第１光吸収部１５１、及び漏光遮断部１３６を含む。そのうちの一部は実施形態によって省略することができる。
【０２８５】
光学板１２０、中間ハウジング１３０、量子ドット板１４０、導光板１６０、反射板１７０、基板１８１、光源１８０、及びスペーサ１９０は、上述の実施形態と同一であるので、詳しい説明は省略する。
【０２８６】
第１１実施形態によれば、第１固定部１３１は、中間ハウジング１３０から光学板１２０及び量子ドット板１４０が設けられた方向に突出された形状を有することができ、第１固定部１３１の一面には、変光色部１５０、第１光吸収部１５１及び漏光遮断部１３６が設けられる。さらに第１固定部１３１の開口１３０ａ方向末端には、部属素子１５２が設けられる。この場合、部属素子１５２の側面には、変光色部１５０、第１光吸収部１５１及び漏光遮断部１３６が順に設けられる。
【０２８７】
部属素子１５２は、中間ハウジング１３０の第１固定部１３１から量子ドット板１４０方向に突出されるように設置されることができ、量子ドット板１４０を固定する機能を行うことができる。部属素子１５２は、第１固定部１３１と一体型に形成されたものとすることができ、別に製作されて第１固定部１３１の一末端の下部ハウジング１９１方向の一面に設置されたものとすることができる。
【０２８８】
変光色部１５０は、上述のように、光源１８０から発散されて入射された入射光の色相と異なった色相の出射光を放出することができる。変光色部１５０は、第１固定部１３１の一面に設置されることができ、ここで、一面は量子ドット板１４０または導光板１６０方向に露出されたものとすることができる。
【０２８９】
変光色部１５０の側面には第１光吸収部１５１が設置される。
【０２９０】
第１光吸収部１５１は、光源１８０から照射される光のうちの一部の光を吸収することができる。具体的に第１光吸収部１５１は、光源１８０から照射された光のうちの特定入射角の光を吸収することで、所望する範囲の入射角を有した光が変光色部１５０に入射されるようにするか、または導光板１６０に入射されるようにすることができる。
【０２９１】
図１９に示すように、第１光吸収部１５１は、第１固定部１３１の一面に設置されることができ、ここで一面は量子ドット板１４０または導光板１６０方向に露出されたこととすることができる。
【０２９２】
漏光遮断部１３６は、光源１８０や、導光板１６０から出射された光が外部に漏出されることを防止する。
【０２９３】
漏光遮断部１３６は、中間ハウジング１３０の第１固定部１３１に設置され、より具体的に漏光遮断部１３６は第１固定部１３１の下部ハウジング１９１方向の一面に設置される。
【０２９４】
漏光遮断部１３６は、図１９に示すように、第１光吸収部１５１の側面に設けられる。具体的には、第１光吸収部１５１と中間ハウジング１３０の外郭フレーム１３０ｂとの間に設けられる。漏光遮断部１３６は光吸収部１５１と接することができる。
【０２９５】
漏光遮断部１３６は、外部から印加された力により変形可能な軟性材料を用いて実現されたものとすることができる。例えば漏光遮断部１３６は、天然ゴムや合成樹脂を用いて実現されたものとする。一実施形態によれば、漏光遮断部１３６としては、スポンジが採用され得る。
【０２９６】
一方、第１１実施形態において、漏光遮断部１６３は六面体の形状からなるものとする。言い換えれば、第１１実施形態の漏光遮断部１６３は、第１０実施形態の場合とは相違するように、階段式構造を有しない。もちろん実施形態によって漏光遮断部１３６は六面体以外に円筒や角柱のような多様な形状を有することができる。
【０２９７】
第１１実施形態の漏光遮断部１３６は、図１９に示すように、量子ドット板１４０や、導光板１６０とは互いに接せず、導光板１６０と光源１８０との間に形成された内部空間に露出され得る。言い換えれば、漏光遮断部１６３は第１固定部１３１とだけ接し得る。
【０２９８】
漏光遮断部１６３は、図１９に示すように、光源１８０と所定間隔に互いに離隔され得る。
【０２９９】
以上、ディスプレイアセンブリ１が適用されたディスプレイ装置１００に対する第１実施形態ないし第８実施形態について説明したが、ディスプレイアセンブリ１が適用されたディスプレイ装置１００は、上述の第１実施形態ないし第８実施形態に限定せず、設計者の選択によって任意的に一部変更され得る。また第１実施形態ないし第８実施形態のいずれか１つの実施形態だけに記載された構成は、他の実施形態に同一であるか、または一部変形を行って適用され得る。
【０３００】
上述のディスプレイアセンブリ１及びディスプレイアセンブリ１が適用されたディスプレイ装置１００は、所定画面を外部に表示することができる表示手段を有する多様な装置を含む。例えば、上述のディスプレイ装置１００は、ユーザの操作や事前に定義した設定によって光を出射してユーザに所定の画面を提供することができるテレビ装置、コンピュータ装置や各種機械装置のモニタ装置、電光板またはその他の所定映像を画面上に表示することができる多様な装置を含む。その他に、例えばディスプレイ装置１００は、セルラーフォン（ｃｅｌｌｕｌａｒ  ｐｈｏｎｅ）、スマートフォン、タブレットＰＣ、ノートパソコン装置または個人用デジタル補助装置（ＰＤＳ、ｐｅｒｓｏｎａｌ  ｄｉｇｉｔａｌ  ａｓｓｉｓｔａｎｃｅ）などのような携帯ディスプレイ装置を含むことができる。その他にも、ディスプレイ装置１００は通常の技術者が考慮することができる多様な装置を含むことができる。
【図１】
0006780918.tif 000002
【図２】
0006780918.tif 000003
【図３】
0006780918.tif 000004
【図４】
0006780918.tif 000005
【図５】
0006780918.tif 000006
【図６】
0006780918.tif 000007
【図７】
0006780918.tif 000008
【図８】
0006780918.tif 000009
【図９】
0006780918.tif 000010
【図１０】
0006780918.tif 000011
【図１１】
0006780918.tif 000012
【図１２】
0006780918.tif 000013
【図１３】
0006780918.tif 000014
【図１４】
0006780918.tif 000015
【図１５】
0006780918.tif 000016
【図１６】
0006780918.tif 000017
【図１７】
0006780918.tif 000018
【図１８】
0006780918.tif 000019
【図１９】
0006780918.tif 000020